(57)【要約】      （修正有）【課題】  印刷用紙に印刷されている送信情報を認証する認証装置を提供する。【解決手段】  送信側端末装置１０の暗号化手段１１ｂは、送信情報の少なくとも一部を暗号化鍵を用いて暗号化情報を生成する。読取／書込装置１５は、暗号化情報を、印刷用紙３０に貼付されるシール体４５に一体成形されているＲＦＩＤタグ４０に書き込む。また、印刷装置１６は、送信情報を、シール体４５が貼付される印刷用紙３０に印刷する。受信側端末装置２０の読取／書込装置２５は、印刷用紙３０に貼付されているシール体４５に一体成形されているＲＦＩＤタグ４０から暗号化情報を読み取る。また、復号化手段２１ｂは、読み取った暗号化情報を、送信側端末装置１０の暗号化手段１１ｂで用いられている暗号化鍵に対応する復号化鍵を用いて復号化する。復号化手段２１ｂが暗号化情報を復号化可能である場合に、印刷用紙３０に印刷されている送信情報が真正であることを認証する。【選択図】    図１
2006295720.tif 000002
【特許請求の範囲】
【請求項１】
送信側から受信側に配送される送信情報配送媒体を構成する印刷体に印刷されている送信情報が真正であるか否かを受信側で認証する送信情報認証装置であって、
送信側に設けられる送信側装置、受信側に設けられる受信側装置、送信情報が印刷される印刷体と当該印刷体に取り付けられる記憶媒体により構成される送信情報配送媒体を備え、
前記送信側装置は、送信側入力手段、送信側暗号化手段、送信側書込手段、送信側印刷手段を有し、
前記送信側暗号化手段は、前記送信側入力手段により入力された入力情報を暗号化鍵を用いて暗号化して暗号化情報を生成し、
前記送信側書込手段は、前記暗号化手段により暗号化された暗号化情報を、前記送信情報配送媒体を構成する記憶媒体に書き込み、
前記送信側印刷手段は、前記送信側入力手段により入力された送信情報を前記送信情報配送媒体を構成する印刷体に印刷し、
前記受信側装置は、受信側読取手段、受信側復号化手段、受信側認証手段を有し、
前記受信側読取手段は、前記送信情報配送媒体を構成する記憶媒体に書き込まれている暗号化情報を読み取り、
前記受信側復号化手段は、前記送信側暗号化手段で用いている暗号化鍵に対応する復号化鍵を用いて、前記受信側読取手段により読み取った暗号化情報を復号化して復号化情報を取得し、
前記受信側認証手段は、前記受信側読取手段により読み取った暗号化情報を前記受信側復号化手段により復号化可能であるか否かを判別し、復号化が可能である場合に前記送信情報配送媒体を構成する印刷体に印刷されている送信情報が真正であることを認証する、
ことを特徴とする送信情報認証装置。
【請求項２】
請求項１に記載の送信情報認証装置であって、
前記送信側暗号化手段は、前記送信側入力手段により入力された送信情報の少なくとも一部を前記暗号化鍵を用いて暗号化して暗号化情報を生成する、
【請求項３】
請求項２に記載の送信情報認証装置であって、
前記受信側装置は、受信側出力手段を有し、
前記受信側出力手段は、前記受信側復号化手段により復号化した復号化情報を出力する、
ことを特徴とする送信情報認証装置。
【請求項４】
請求項１に記載の送信情報認証装置であって、
前記送信側装置は、送信側関数値生成手段を有し、
前記送信側関数値生成手段は、前記送信側入力手段により入力された入力情報から関数を用いて関数値を生成し、
前記送信側暗号化手段は、前記送信側関数値生成手段により生成された関数値を前記暗号化鍵を用いて暗号化して暗号化情報を生成する、
ことを特徴とする送信情報認証装置。
【請求項５】
請求項４に記載の送信情報認証装置であって、
前記送信側関数値生成手段は、前記送信側入力手段により入力された送信情報の少なくとも一部から前記関数を用いて関数値を生成する、
ことを特徴とする送信情報認証装置。
【請求項６】
請求項５に記載の送信情報認証装置であって、
前記受信側装置は、受信側情報変換手段、受信側関数値生成手段を有し、
前記受信側情報変換手段は、前記送信情報配送媒体を構成する印刷体に印刷されている、前記送信側入力手段により入力された送信情報の少なくとも一部を、前記受信側関数値生成手段が処理可能な形式の情報に変換し、
前記受信側関数値生成手段は、前記受信側情報変換手段により変換された情報から、前記送信側関数値生成手段で用いている関数と同じ関数を用いて関数値を生成し、
前記受信側認証手段は、前記受信側読取手段により読み取った暗号化情報が前記受信側復号化手段により復号化可能である場合には、前記受信側復号化手段により復号化された復号化情報に含まれている関数値が前記受信側関数値生成手段により生成された関数値と一致しているか否かを判別し、両関数値が一致している場合に前記送信情報配送媒体を構成する印刷体に印刷されている送信情報が真正であることを認証する、
ことを特徴とする送信情報認証装置。
【請求項７】
送信側から受信側に配送される送信情報配送媒体を構成する印刷体に印刷されている送信情報が真正であるか否かを受信側で認証する送信情報認証装置であって、
送信側に設けられる送信側装置、受信側に設けられる受信側装置、時刻認証装置、送信情報が印刷される印刷体と当該印刷体に取り付けられる記憶媒体により構成される送信情報配送媒体を備え、
前記送信側装置は、送信側情報処理手段、送信側入力手段、送信側書込手段、送信側印刷手段を有し、
前記送信側情報処理手段は、前記時刻認証装置に時刻認証情報送信要求情報を送信するとともに、前記時刻認証装置から送信された時刻認証情報を受信し、
前記送信側書込手段は、前記送信側情報処理手段により受信した時刻認証情報を前記送信情報配送媒体を構成する記憶媒体に書き込み、
前記送信側印刷手段は、前記送信側入力手段により入力された送信情報を前記送信情報配送媒体を構成する印刷体に印刷し、
前記時刻認証装置は、時刻認証側情報処理手段、時刻認証側暗号化手段、時刻情報出力手段を有し、
前記時刻認証側情報処理手段は、
前記送信側装置から送信された時刻認証情報送信要求情報を受信すると、前記時刻認証側暗号化手段で生成された暗号化情報を含む時刻認証情報を、前記時刻認証情報送信要求情報を送信した送信側装置に送信し、
また、前記受信側装置から送信された復号化鍵送信要求情報を受信すると、前記時刻認証側暗号化手段で用いている暗号化鍵に対応する復号化鍵を、前記復号化鍵送信要求情報を送信した受信側装置に送信し、
前記時刻認証側暗号化手段は、前記時刻情報出力手段から出力される時刻情報を暗号化鍵を用いて暗号化して暗号化情報を生成し、
前記受信側装置は、受信側情報処理手段、受信側読取手段、受信側復号化手段、受信側認証手段を有し、
前記受信側情報処理手段は、前記時刻認証装置に復号化鍵送信要求情報を送信するとともに、前記時刻認証装置から送信された復号化鍵を受信し、
前記受信側読取手段は、前記送信情報配送媒体を構成する記憶媒体に書き込まれている時刻認証情報を読み取り、
前記受信側復号化手段は、前記受信側読取手段により読み取った時刻認証情報に含まれている暗号化情報を前記受信側情報処理手段で受信した復号化鍵を用いて復号化して復号化情報を取得し、
前記受信側認証手段は、前記受信側読取手段により読み取った時刻認証情報に含まれている暗号化情報を前記受信側復号化手段により復号化可能であるか否かを判別し、復号化が可能である場合に前記送信情報配送媒体を構成する印刷体に印刷されている送信情報が真正であることを認証する、
ことを特徴とする送信情報認証装置。
【請求項８】
請求項７に記載の送信情報認証装置であって、
前記時刻認証側情報処理手段は、前記時刻認証側暗号化手段で暗号化された暗号化情報と、当該暗号化情報を暗号化する際に用いられた時刻情報を含む時刻認証情報を前記送信側装置に送信し、
前記受信側認証手段は、前記受信側読取手段により読み取った時刻認証情報に含まれている暗号化情報を前記受信側復号化手段により復号化可能である場合には、前記受信側復号化手段により復号化された復号化情報に含まれている時刻情報が、前記受信側読取手段により読み取った時刻認証情報に含まれている時刻情報と一致しているか否かを判別し、両時刻情報が一致している場合に前記送信情報配送媒体に印刷されている送信情報が真正であることを認証する、
ことを特徴とする送信情報認証装置。
【請求項９】
請求項１〜８のいずれかに記載の送信情報認証装置であって、
前記記憶媒体は、前記印刷体に貼付可能なシール体に一体成形されているとともに、前記シール体と一体成形されている状態で情報の書き込み及び情報の読み取りが可能であり、
前記シール体は、前記印刷体に印刷されている送信情報の少なくとも一部を覆った状態で前記印刷体に貼付可能な形状を有し、また、前記印刷体に印刷されている送信情報の少なくとも一部を覆うように前記印刷体に貼付された時、当該シール体で覆われている箇所に印刷されている送信情報を、当該シール体を介して判別可能な透明性を有している、
ことを特徴とする送信情報認証装置。
【請求項１０】
送信側から受信側に送信情報を配送する送信情報配送媒体であって、
送信情報が印刷されている印刷体と、
前記印刷体に印刷されている送信情報の少なくとも一部を覆うように、前記印刷体に貼付されたシール体と、
前記シール体に一体成形された記憶媒体を備え、
前記シール体は、当該シール体により覆われている箇所に印刷されている送信情報を、当該シール体を介して判別可能な透明性を有し、
前記記憶媒体は、前記シール体と一体成形されている状態で情報の書き込み及び情報の読み取りが可能である、
ことを特徴とする送信情報配送媒体。
【発明の詳細な説明】
【技術分野】
【０００１】
本発明は、送信情報が印刷された印刷体（例えば、印刷用紙）を受け取った時、受け取った印刷体に印刷されている送信情報が真正であるか否か（正しい送信側（送信者）から送信された送信情報であるか否か）を認証する技術に関する。
【背景技術】
【０００２】
送信者から受信者に送信情報を送信する方法として、送信情報を印刷した印刷体（文書あるいは書類）を送信者から受信者に配送する方法が用いられている。
ところで、近年、第三者が他人の名前を使用して偽の送信情報を印刷した文書を受信者に配送する行為（「成りすまし行為」と呼ばれている）が問題となっている。このため、受信者が受け取った文書に印刷されている送信情報が正しい送信者からのものであること、すなわち、文書に印刷されている送信情報が真正であることを認証することができる認証技術の開発が要望されている。
従来、送信者から受信者に配送する文書に印刷されている内容（送信情報）及び送信者を認証（証明）する方法として、送信情報及び送信者を所定の様式で印刷した文書を３部作成して郵便局に持参し、１通を受信者に配送し、残りの各１通を送信者及び郵便局が保管する方法が用いられている。この方法では、郵便局に保管されている文書によって送信者から受信者に配送された文書に印刷されている送信情報や送信者を認証（証明）する。
また、送信者から受信者に送信された送信情報を認証する方法として、秘密鍵と公開鍵を用いる方法が知られている。例えば、送信者は、秘密鍵である送信者の暗号化鍵を用いて送信情報を暗号化して送信側装置から受信側装置に送信する。そして、受信者は、暗号化情報を受信者側装置で受信し、受信した暗号化情報を、公開鍵である送信者の復号化鍵を用いて復号化することにより、送信者から送信された送信情報を受信する。なお、公開鍵である受信者の暗号化鍵を用いて暗号化し、秘密鍵である受信者の復号化鍵を用いて復号化する場合もある。（特許文献１参照）
あるいは、製造メーカは、商品タグ発行機により、商品の出所や品質等の証明書データを、秘密鍵である製造メーカの暗号化鍵を用いて暗号化して商品タグに書き込み、暗号化情報が書き込まれた商品タグを商品に取り付ける。購入者は、読取装置により、商品に取り付けられている商品タグに書き込まれている暗号化情報を読み取り、読み取った暗号化情報を、公開鍵である製造メーカの復号化鍵を用いて復号化する。そして、復号化情報に基づいて商品の出所や品質等を認証する。（特許文献２参照）
【特許文献１】特開２００４−４０２７８号公報
【特許文献１】特開２０００−１１１１４号公報
【発明の開示】
【発明が解決しようとする課題】
【０００３】
受信者に配送された文書に印刷されている送信情報が真正であることを認証する方法として、前述した従来の方法を用いることが考えられる。
しかしながら、文書を郵便局に保管する方法は、文書を３部作成して郵便局に持参する必要がある。このため、作業が煩雑である。
また、送信情報を暗号化鍵を用いて暗号化して送信側から受信側に送信し、受信側で受信した暗号化情報を復号化鍵を用いて復号化する方法は、受信側装置により暗号化情報の復号化処理を行わないと送信情報を確認することができない。このため、受け取った文書に印刷されている送信情報を読むことによって送信情報の内容を確認する手法に慣れ親しんでいる受信者に対しては、この方法を用いるのは適切でない。
また、商品の出所や品質等の証明書データを暗号化鍵を用いて暗号化して商品タグに書き込み、暗号化情報を書き込んだ商品タグを商品に取り付ける方法も、同様に、読取装置により商品タグから暗号化情報を読み取り、読み取った暗号化情報の復号化処理を行わないと証明書データを確認することができない。
そこで、本発明は、このような問題点に鑑みて創案されたものであり、送信情報が印刷されている印刷体を用いることにより送信情報の確認の容易性を維持しながら、印刷体に印刷されている送信情報が真正であることを認証することができる認証技術を提供することを目的とする。
【課題を解決するための手段】
【０００４】
前記課題を解決するために、本発明は、各請求項に記載の構成を備えている。各請求項に記載の発明は、送信情報が印刷されている印刷体を送信側から受信側に配送する場合に適用される。
なお、本明細書では、「送信情報配送媒体」は、送信側から受信側に送信される送信情報（例えば、文章、記号、グラフ、写真、送信者名、受信者名等）が印刷可能な印刷体と、印刷体に取り付けられる記憶媒体により構成され、送信側から受信側に配送可能な媒体を意味する。
また、「送信情報配送媒体を配送する」という記載は、送信情報が印刷されている印刷体と印刷体に取り付けられている記憶媒体を配送業者や送信者本人等が受信者に届ける態様を表している。
また、「送信情報が真正であることを認証する」という記載は、受信者（受信側）が受け取った印刷体に印刷されている送信情報が正しい送信側（送信者）からのものであることを判別することを表している。
（第１発明）
本発明の第１発明は、請求項１に記載されたとおりの送信情報認証装置である。
本発明は、送信側に設けられる送信側装置、受信側に設けられる受信側装置、送信情報が印刷される印刷体と当該印刷体に取り付けられる記憶媒体により構成される送信情報配送媒体を備えている。
送信側装置は、送信側入力手段、送信側暗号化手段、送信側書込手段、送信側印刷手段を有し、受信側装置は、受信側読取手段、受信側復号化手段、受信側認証手段を有している。受信側復号化手段で用いる復号化鍵は、送信側暗号化手段で用いる暗号化鍵に対応する復号化鍵が用いられる。暗号化鍵及び復号化鍵は、典型的には、一方を秘密鍵、他方を公開鍵とし、公開鍵は公開鍵認証装置（公的な認証局が好ましい）から公開鍵証明書として受信する。
送信側暗号化手段は、送信側入力手段により入力された入力情報を暗号化鍵を用いて暗号化して暗号化情報を生成し、送信側書込手段は、送信側暗号化手段により生成された暗号化情報を、送信情報配送媒体を構成する記憶媒体に書き込み、送信側印刷手段は、送信側入力手段により入力された送信情報を送信情報配送媒体を構成する印刷体に印刷する。
また、受信側読取手段は、送信情報配送媒体を構成する記憶媒体（受け取った印刷体に取り付けられている記憶媒体）に書き込まれている暗号化情報を読み取り、受信側復号化手段は、受信側読取手段により読み取った暗号化情報を復号化鍵を用いて復号化して復号化情報を取得する。そして、受信側認証手段は、読み取った暗号化情報を受信側復号化手段により復号化可能である場合に、送信情報配送媒体を構成する印刷体に印刷されている送信情報が真正であることを認証する。
本明細書では、「送信側装置」は、送信側に設けられている装置を表すものとして用い、「受信側装置」は、受信側に設けられている装置を表すものとして用いている。
送信側装置としては、入力情報の暗号化処理、記憶媒体への暗号化情報の書込処理及び印刷体への送信情報の印刷処理等が可能な端末装置を用いることができる。また、受信側端末装置としては、記憶媒体に書き込まれている情報の読取処理、暗号化情報の復号化処理、認証処理、復号化情報の出力処理等が可能な端末装置を用いることができる。勿論、送信側装置あるいは受信側装置として、送信側装置及び受信側装置として動作可能な端末装置を用いることもできる。
印刷体としては、送信情報の印刷が可能な種々の媒体を用いることができる。典型的には、所定形状に形成されている印刷用紙が用いられる。
記憶媒体としては、印刷体に取り付けることができる種々の記憶媒体を用いることができるが、非接触で情報の書き込み及び読み取りが可能な記憶媒体を用いるのが好ましい。例えば、電波を用いて情報の書き込み及び情報の読み取りが可能なＲＦＩＤタグ（「ＩＣタグ」とも言う）を用いることができる。このような記憶媒体を用いることにより、記憶媒体への情報の書き込みや記憶媒体からの情報の読み取りを容易に行うことができる。
また、記憶媒体の印刷体への取付態様としては、印刷体に印刷されている送信情報の改竄を困難とする取付態様や、印刷体に印刷されている送信情報の保護（例えば、水に対する保護）が可能な取付態様を用いるのが好ましい。例えば、記憶媒体を、印刷体に貼付可能なシール体と一体成形し、印刷体に印刷されている送信情報の少なくとも一部がシール体で覆われるように、シール体を印刷体に貼り付ける取付態様を用いることができる。この場合、シール体としては、シール体で覆われている送信情報の少なくとも一部がシール体を介して判別可能な透過特性（透明性）を有しているものを用いるのが好ましい。記憶媒体を、印刷体に貼付可能なシール体に一体成形することにより、記憶媒体を印刷体に容易に取り付けることができ、また、送信情報配送媒体の取り扱いが容易となる。さらに、印刷体からシール体を剥がすと、印刷体への送信情報の再印刷や記憶媒体への情報の書き込み及び記憶媒体からの情報の読み取りが困難となるように構成するのが好ましい。
暗号化する入力情報としては、印刷体に印刷する送信情報と無関係な情報を用いてもよいし、送信情報に関連する関連情報（例えば、送信情報が商品の案内情報である場合には、その商品の詳細情報が掲載されているＷｅｂサイトやその商品の販売店や製造メーカー
のＷｅｂサイトのアドレス情報）を用いてもよいし、送信情報の一部あるいは全部を用いてもよい。
送信側入力手段により入力情報や送信情報を入力する方法としては、種々の入力方法を用いることができる、例えば、入力キーを用いて直接入力する方法、記憶手段に記憶されている情報の中からマウスや入力キーを用いて選択することによって入力する方法を用いることができる。
受信側認証手段の認証結果は、受信側出力手段（例えば、表示手段、印刷手段、ランプ等の光発生手段、スピーカ等の音発生手段）から出力するのが好ましい。
（第２発明）
本発明の第２発明は、請求項２に記載されたとおりの送信情報認証装置である。
本発明では、送信側暗号化手段は、送信側入力手段により入力された送信情報（印刷体に印刷される送信情報）の少なくとも一部を暗号化する。
「送信情報の一部」としては、送信情報の任意の部分を選択することができるが、まとまっている箇所（例えば、送信者名、受信者名、本文の段落部分）を選択するのが好ましい。
「送信情報の少なくとも一部を暗号化する」という記載は、送信情報の全部を暗号化する態様をも含む。
（第３発明）
本発明の第３発明は、請求項３に記載されたとおりの送信情報認証装置である。
本発明では、受信側装置は、受信側復号化手段により復号化した復号化情報を出力する受信側出力手段を有している。
受信側出力手段としては、表示手段や印刷手段等の、受信者が復号化情報を確認することができる手段が用いられる。
本発明では、送信情報の少なくとも一部を暗号化して記憶媒体に書き込んでいるため、受信側出力手段からは、記憶媒体が取り付けられている送信情報配送媒体に印刷されている送信情報の少なくとも一部が出力される。
（第４発明）
本発明の第４発明は、請求項４に記載されたとおりの送信情報認証装置である。
本発明では、送信側装置は、送信側入力手段により入力された入力情報から関数を用いて関数値を生成する送信側関数値生成手段を有している。そして、送信側暗号化手段は、送信側関数値生成手段により生成された関数値を暗号化する。
送信側関数値生成手段としては、種々の関数値を生成する関数値生成手段を用いることができる。例えば、ハッシュ関数を用いてハッシュ値を生成するハッシュ値生成手段を用いることができる。
（第５発明）
本発明の第５発明は、請求項５に記載されたとおりの送信情報認証装置である。
本発明では、送信側関数値生成手段は、送信側入力手段により入力された送信情報の少なくとも一部から関数値を生成する。
「送信情報の少なくとも一部から関数値を生成する」という記載は、送信情報の全部から関数値を生成する態様をも含む。
（第６発明）
本発明の第６発明は、請求項６に記載されたとおりの送信情報認証装置である。
本発明では、受信側装置は、受信側情報変換手段と受信側関数値生成手段を有している。受信側情報変換手段は、送信情報配送媒体を構成する印刷体に印刷されている送信情報の少なくとも一部を受信側関数値生成手段が処理可能な形式の情報に変換する。受信側関数値生成手段は、受信側情報変換手段により変換された情報から、送信側関数値生成手段で用いている関数と同じ関数を用いて関数値を生成する。そして、受信側認証手段は、受信側読取手段により読み取った暗号化情報が復号化可能であり、且つ、暗号化情報から復号化した復号化情報に含まれている関数値が受信側関数値生成手段により生成された関数値と一致している場合に送信情報配送媒体を構成する印刷体に印刷されている送信情報が真正であることを認証する。
受信側情報変換手段としては、例えば、印刷体に印刷されている情報を電子情報に変換する光学式文字読取装置（ＯＣＲ）を用いることができる。
（第７発明）
本発明の第７発明は、請求項７に記載されたとおりの送信情報認証装置である。
本発明は、送信側に設けられる送信側装置、受信側に設けられる受信側装置、時刻認証装置、送信情報が印刷される印刷体と当該印刷体に取り付けられる記憶媒体により構成される送信情報配送媒体を備えている。
送信側装置は、送信側情報処理手段、送信側入力手段、送信側書込手段、送信側印刷手段を有している。送信側情報処理手段は、時刻認証装置に時刻認証情報送信要求情報を送信し、時刻認証装置から時刻認証情報を受信する。送信側書込手段は、時刻認証装置から受信した時刻認証情報を、送信情報配送媒体を構成する記憶媒体に書き込み、送信側印刷手段は、送信側入力手段により入力された送信情報を送信情報配送媒体を構成する印刷体に印刷する。
時刻認証装置は、時刻認証側情報処理手段、時刻認証側暗号化手段、時刻情報出力手段を有している。時刻認証側情報処理手段は、送信側装置から時刻認証情報送信要求情報を受信すると、時刻認証側暗号化手段で生成された暗号化情報を含む時刻認証情報を送信側装置に送信する。また、受信側装置から復号化鍵送信要求情報を受信すると、時刻認証側暗号化手段で用いている暗号化鍵に対応する復号化鍵を受信側装置に送信する。時刻認証側暗号化手段は、時刻情報出力手段から出力される時刻情報を暗号化鍵を用いて暗号化して暗号化情報を生成する。
受信側装置は、受信側情報処理手段、受信側読取手段、受信側復号化手段、受信側認証手段を有している。受信側情報処理手段は、時刻認証装置に復号化鍵送信要求情報を送信して時刻認証装置から復号化鍵を受信する。受信側読取手段は、送信情報配送媒体を構成する記憶媒体（受け取った印刷体に取り付けられている記憶媒体）に書き込まれている時刻認証情報を読み取る。受信側復号化手段は、読み取った時刻認証情報に含まれている暗号化情報を、受信側情報処理手段で受信した復号化鍵を用いて復号化して復号化情報を取得する。そして、受信側認証手段は、読み取った時刻認証情報に含まれている暗号化情報を受信側復号化手段により復号化可能である場合に送信情報配送媒体を構成する印刷体に印刷されている送信情報が真正であることを認証する。
印刷体及び記憶媒体としては、第１発明と同様の印刷体及び記憶媒体を用いることができる。また、記憶媒体の印刷体への取付方法としては、第１の実施の形態と同様の取付方法を用いることができる。
時刻情報出力手段から出力する時刻情報は、時刻認証装置の外部から入力される時刻情報を用いてもよい。この場合には、時刻情報出力手段として時刻情報受信手段が用いられる。
時刻認証装置としては、公的な認証局、例えば、タイムスタンプ局を用いるのが好ましい。
送信側情報処理手段から時刻認証装置に時刻認証情報送信要求情報を送信する時期は、適宜の時期を設定することができるが、送信情報が入力された後に送信するのが好ましい。
時刻認証側暗号化手段により暗号化する時刻情報は、適宜の時点の時刻情報を用いることができるが、送信側装置から送信された時刻認証情報送信要求情報を時刻認証側情報処理手段が受信した後の任意の時点の時刻情報を用いるのが好ましい。
受信側装置が、時刻認証装置に復号化鍵送信要求情報を送信して復号化鍵を受信する時期は、受信側復号化手段により暗号化情報の復号化が行われる時点までであればよい。
暗号化する情報は、時刻情報が含まれていればよく、時刻情報と他の情報（例えば、送信情報の少なくとも一部、送信情報の少なくとも一部から生成した関数値）を用いることもできる。
時刻認証情報は、暗号化情報が含まれていればよく、暗号化情報と他の情報（例えば、暗号化情報を生成する際に用いた情報や時刻情報）を用いることもできる。
（第８発明）
本発明の第８発明は、請求項８に記載されたとおりの送信情報認証装置である。
本発明では、時刻認証側情報処理手段は、時刻認証側暗号化手段で暗号化された暗号化情報と、当該暗号化情報を暗号化する際に用いられた時刻情報を含む時刻認証情報を送信側装置に送信する。そして、受信側認証手段は、読み取った時刻認証情報に含まれている暗号化情報を復号化可能であり、且つ、復号化情報に含まれている時刻情報が、読み取った時刻認証情報に含まれている時刻情報と一致している場合に、送信情報配送媒体に印刷されている送信情報が真正であることを認証する。
（第９発明）
本発明の第９発明は、請求項９に記載されたとおりの送信情報認証装置である。
本発明では、送信情報配送媒体を構成する記憶媒体は、送信情報配送媒体を構成する印刷体に貼付可能なシール体に一体成形されているとともに、シール体と一体成形されている状態で情報の書き込み及び情報の読み取りが可能である。また、シール体は、送信情報配送媒体を構成する印刷体に印刷されている送信情報の少なくとも一部を覆った状態で印刷体に貼付可能な形状を有しているとともに、シール体で覆われている箇所に印刷されている送信情報を、当該シール体を介して判別可能な透明性を有している。
シール体は、例えば、透明性を有する樹脂によって、記憶媒体と一体成形される。また、シール体の一方側の面に接着剤が塗布されることによって、印刷体に貼付可能に構成される。この場合、シール体を印刷体から剥がすと、シール体で覆われていた箇所への送信情報の再印刷が不能となり、あるいは、当該シール体に一体成形されている記憶媒体への情報の書き込み及び記憶媒体からの情報の読み取りが不能となるように印刷体やシール体の構造あるいはシール体の印刷体への貼付態様を設定するのが好ましい。
シール体の形状は、印刷体に印刷されている送信情報の少なくとも一部を覆うことが可能であればよいが、印刷体の外周縁からはみ出ることなく、送信情報の少なくとも一部を覆った状態で印刷体に貼付可能な形状に形成するのが好ましい。勿論、送信情報の全てを覆うことが可能な形状に形成することもできる。
（第１０発明）
本発明の第１０発明は、請求項１０に記載されたとおりの送信情報配送媒体である。
請求項１０に記載の送信情報配送媒体は、送信情報が印刷されている印刷体と、印刷体に印刷されている送信情報の少なくとも一部を覆うように印刷体に貼付されたシール体と、シール体に一体成形された記憶媒体により構成されている。シール体は、送信情報配送媒体を構成する印刷体に印刷されている送信情報の少なくとも一部を覆った状態で印刷体に貼付可能な形状を有しているとともに、当該シール体によって覆われている箇所に印刷されている送信情報を当該シール体を介して判別可能な透明性を有している。また、記憶媒体は、シール体と一体成形されている状態で情報の書き込みあるいは読み取りが可能である。
シール体は、例えば、透明性を有する樹脂によって記憶媒体と一体成形により形成されているとともに、一方側の面に接着剤が塗布され、印刷体に貼付可能に構成されている。
シール体の形状は、印刷体に印刷されている送信情報の少なくとも一部を覆うことが可能であればよいが、印刷体の外周縁からはみ出ることなく、送信情報の少なくとも一部を覆った状態で印刷体に貼付可能な形状に形成するのが好ましい。例えば、水等に対する保護が必要な箇所（水等による滲みによって判別が困難となるのを防止する必要がある送信情報が印刷されている箇所）に対応する形状に形成することができる。勿論、送信情報の全てを覆うことが可能な形状に形成することもできる。
【発明の効果】
【０００５】
請求項１に記載の送信情報認証装置を用いれば、送信情報が送信情報配送媒体を構成する印刷体に印刷されているため、受信者は送信情報の内容を容易に確認することができる。
また、受信側認証手段により、送信情報配送媒体を構成する記憶媒体（受け取った印刷体に取り付けられている記憶媒体）に書き込まれている暗号化情報が、送信側で用いられている暗号化鍵に対応する復号化鍵を用いて復号化可能である場合に送信情報配送媒体を構成する印刷体に印刷されている送信情報が真正であることを認証するため、送信情報配送媒体を構成する印刷体（受け取った印刷体）に印刷されている送信情報が正しい送信者から送信されたものであることを容易に判別することができる。
請求項２に記載の送信情報認証装置を用いれば、送信情報配送媒体を構成する印刷体に印刷される送信情報の少なくとも一部を暗号化して記憶媒体に書き込むため、暗号化する入力情報及び印刷体に印刷する送信情報の入力操作が容易となる。
請求項３に記載の送信情報認証装置を用いれば、受信側出力手段から復号化情報が出力されるため、受信者は、送信情報配送媒体を構成すえう印刷体（受け取った印刷体）に印刷されている送信情報と受信側出力手段から出力される復号化情報を比較することによって、送信情報配送媒体を構成する印刷体（受け取った印刷体）に印刷されている送信情報が真正であることを確認することができる。
請求項４に記載の送信情報認証装置を用いれば、入力情報から生成した関数値を暗号化して暗号化情報を生成しているため、暗号化情報のデータ量を低減することができる。これにより、記憶容量の小さい記憶媒体を用いることができる。
請求項５に記載の送信情報認証装置を用いれば、送信情報配送媒体を構成する印刷体（受け取った印刷体）に印刷される送信情報の少なくとも一部から生成した関数値を暗号化して暗号化情報を生成しているため、暗号化する入力情報及び印刷体に印刷する送信情報の入力操作を容易にしながら、暗号化情報のデータ量を低減することができる。
請求項６に記載の送信情報認証装置を用いれば、送信情報配送媒体を構成する印刷体（受け取った印刷体）に印刷されている送信情報が真正であるか否かをより確実に認証することができる。
請求項７に記載の送信情報認証装置を用いれば、送信情報が送信情報配送媒体を構成する印刷体に印刷されているため、受信者は送信情報の内容を容易に確認することができる。
また、時刻認証装置の時刻情報を時刻認証装置の暗号化鍵を用いて暗号化した暗号化情報を送信情報配送媒体を構成する記憶媒体に書き込み、時刻認証装置から受信した復号化鍵を用いて暗号化情報を復号化可能か否かを判別するため、送信情報配送媒体を構成する印刷体に印刷されている送信情報が真正であるか否かを確実に認証することができる。
請求項８に記載の送信情報認証装置を用いれば、送信情報配送媒体を構成する印刷体（受け取った印刷体）に印刷されている送信情報が真正であるか否かをより確実に認証することができる。
請求項９に記載の送信情報認証装置を用いれば、印刷体に貼付可能なシール体に記憶媒体を一体成形しているため、記憶媒体が取り付けられている印刷体を容易に得ることができる。また、透明性を有するシール体を用いているため、印刷体に印刷されている送信情報の少なくとも一部をシール体で覆うことができる。これにより、シール体で覆われている箇所の送信情報の改竄を防止することができるとともに、シール体で覆われている箇所の送信情報を水等から保護することができる。
請求項１０に記載の送信情報搬送媒体を用いれば、印刷体と印刷体に取り付けられた記憶媒体により構成される送信情報配送媒体を容易に得ることができる。特に、記憶媒体が一体成形されている、透明性を有するシール体が、印刷体に印刷されている送信情報の少なくとも一部を覆うように印刷体に貼付されているため、シール体で覆われている箇所の送信情報を水等から保護することができる。また、シール体で覆われている箇所の送信情報の改竄を防止することもできる。
【発明を実施するための最良の形態】
【０００６】
以下に、本発明の実施の形態を、図面を参照して説明する。
第１の実施の形態の概略構成図を図１に示す。
本実施の形態は、送信側では、送信側（送信者）から受信側（受信者）に送信される送信情報が印刷される印刷用紙と、印刷用紙に取り付けられ、印刷用紙に印刷される送信情報の少なくとも一部を暗号化鍵を用いて暗号化した暗号化情報が書き込まれたＲＦＩＤタグにより構成される送信情報配送媒体を配送し、受信側では、受け取った送信情報配送媒体を構成するＲＦＩＤタグ（印刷用紙に取り付けられているＲＦＩＤタグ）から読み取った暗号化情報を、送信側で用いられている暗号化鍵に対応する復号化鍵を用いて復号化可能であるか否かを判別し、復号化が可能である場合に印刷用紙に印刷されている送信情報が真正であることを認証する。
本明細書では、「送信情報配送媒体」は、送信情報が印刷可能な印刷体と、印刷体に取り付けられる記憶媒体により構成され、送信側から受信側に配送可能な媒体を意味するものとして用いている。
印刷体は、情報の印刷が可能であればよく、典型的には、印刷用紙が対応する。なお、一般的に、情報が印刷された印刷用紙は、「文書」あるいは「書類」と呼ばれている。
「記憶媒体」は、情報の書き込み及び情報の読み取りが可能であればよく、好ましくは、非接触で情報の書き込み及び情報の読み取りが可能な記憶媒体、例えば、ＲＦＩＤタグが用いられる。
また、「送信情報」は、文章、記号、グラフや写真等を用いて表された送信内容（本文）、送信者の住所や送信者名、受信者の住所や受信者名等を含むものとして用いている。なお、送信内容（本文）のみを含むものとして用いることもできる。
また、「配送」は、印刷体と、印刷媒体に取り付けられた記憶媒体により構成される送信情報配送媒体を配送業者等によって送信側（送信者）から受信側（受信者）に配達する態様を意味し、通信回線を介して電子的に送信する態様は含まない。
【０００７】
本実施の形態の認証装置は、送信側に設けられる送信側端末装置１０、受信側に設けられる受信側端末装置２０、送信側から受信側に送信される送信情報が印刷される印刷用紙３０、印刷用紙３０に取り付けられるＲＦＩＤタグ４０、鍵生成装置５０、公開鍵認証装置６０等により構成されている。送信側端末装置１０、受信側端末装置２０、鍵生成装置５０、公開鍵認証装置６０等は、電話回線やインターネット等の通信回線７０を介して通信可能に接続されている。
印刷用紙３０は、送信情報の印刷が可能であり、送信側から受信側に配送可能であればよく、種々の材料によって、また、種々の形状に形成することができる。
ＲＦＩＤタグ（ＩＣタグともいう）４０は、無線で情報の書き込みや情報の読み取りが可能な記憶媒体であり、典型的には、ＣＰＵや記憶回路等が内蔵されているＩＣチップ４１と、アンテナ４２を形成する配線パターンが基板上に配設されて構成されている。
ＲＦＩＤタグとしては、種々の構造のものが知られている。例えば、読取／書込装置のアンテナから送信される呼出信号をアンテナ４２で受信することによって発生する電圧をＩＣチップ４１の電源として用いるものが知られている。あるいは、バッテリ等の電源を内蔵したＲＦＩＤタグも知られている。
本実施の形態では、ＲＦＩＤタグ４０の印刷用紙３０への取り付けを容易にするために、ＲＦＩＤタグ４０は、シール体４５と一体成形されているとともに、シール体４５の一方側の面（印刷用紙３０に貼付する側の面）に接着剤を塗布している。
また、シール体４５は、印刷用紙３０に印刷されている送信情報を覆うように印刷用紙３０に貼付された時に、シール体４５によって覆われている送信情報がシール体４５を通して判別可能な透明性（透過特性）を有している。例えば、シール体４５は、透明な樹脂によって、ＲＦＩＤタグ４０と一体成形によって形成される。
シール体４５の形状（大きさ）は、シール体４５によって覆う送信情報が印刷されている、印刷用紙３０の印刷領域３１の形状に応じて設定される。シール体４５の形状は、印刷用紙３０の外周縁からはみ出ないように、印刷用紙３０に印刷されている送信情報の少なくとも一部を覆った状態でシール体４５を印刷用紙３０に印刷可能な形状に形成するのが好ましい。
【０００８】
送信側端末装置１０は、処理装置１１、入力装置１２、記憶装置１３、表示装置１４、読取／書込装置１５、印刷装置１６等を有している。
処理装置１１は、情報処理手段１１ａ、暗号化手段１１ｂを有している。情報処理手段１１ａは、送信側端末装置１０全体の動作、鍵生成装置５０や公開鍵認証装置６０との間での情報の送受信等を制御する。暗号化手段１１ｂは、ＲＦＩＤタグ４０に書き込む情報を暗号化鍵を用いて暗号化し、暗号化情報を生成する。情報処理手段１１ａ、暗号化手段１１ｂはソフトウェアで構成してもよいしハードウェアで構成してもよい。
入力装置１２は、入力キーやマウス等により構成され、種々の情報を入力する。
記憶装置１３は、情報処理手段１１ａや暗号化手段１１ｂの処理プログラムや種々の情報を記憶する。例えば、鍵生成装置５０から受信した暗号化鍵等を記憶する。
表示装置１４は、液晶表示装置等により構成され、種々の情報を表示する。
読取／書込装置１５は、アンテナ１５ａを介してＲＦＩＤタグ４０と通信を行い、ＲＦＩＤタグ４０への情報の書き込みあるいは情報の読み取りを行う。なお、本実施の形態では、読取／書込装置１５としては、ＲＦＩＤ４０への情報の書き込みのみが可能な書込装置を用いることもできる。
印刷装置１６は、入力装置１２から入力された、送信側から受信側に送信する送信情報を印刷用紙３０に印刷する。
なお、暗号化情報を書き込む記憶媒体としては、ＲＦＩＤタグ４０以外の種々の記憶媒体を用いることができる。また、ＲＦＩＤタグ４０を印刷用紙に取り付ける方法としては、貼付方法以外の種々の取付方法を用いることができる。
【０００９】
受信側端末装置２０は、処理装置２１、入力装置２２、記憶装置２３、表示装置２４、読取／書込装置２５、印刷装置２６等を有している。
処理装置２１は、情報処理手段２１ａ、復号化手段２１ｂを有している。情報処理手段２１ａは、受信側端末装置２０全体の動作、公開鍵認証装置６０との間での情報の送受信、認証動作等を制御する。復号化手段２１ｂは、ＲＦＩＤタグ４０に書き込まれている暗号化情報を復号化し復号化情報を生成する。復号化手段２１ｂは、公開鍵認証装置６０から受信した、送信側端末装置１０の暗号化手段１１ｂで用いている暗号化鍵に対応する復号化鍵を用いて復号化を行う。情報処理手段２１ａ、復号化手段２１ｂはソフトウェアで構成してもよいしハードウェアで構成してもよい。
入力装置２２は、入力キーやマウス等により構成され、種々の情報を入力する。
記憶装置２３は、情報処理手段２１ａや復号化手段２１ｂの処理プログラムや種々の情報を記憶する。例えば、公開鍵認証装置６０から受信した公開鍵証明書に含まれている、公開鍵としての復号化鍵等を記憶する。
表示装置２４は、液晶表示装置等により構成され、種々の情報を表示する。
読取／書込装置２５は、アンテナ２５ａを介してＲＦＩＤタグ４０に書き込まれている情報の読み取りあるいは情報の書き込みを行う。なお、本実施の形態では、読取／書込装置２５としては、ＲＦＩＤタグ４０からの情報の読み出しのみが可能な読出装置を用いることもできる。
印刷装置２６は、復号化手段２１ｂにより復号化された復号化情報等を印刷する。
【００１０】
鍵生成装置５０は、端末装置から送信された鍵生成要求情報を受信すると、暗号化鍵及び復号化鍵を生成し、鍵生成要求情報を送信した端末装置に送信する。暗号化鍵及び復号化鍵の使用態様としては、両方を秘密鍵とする使用態様や、一方を秘密鍵、他方を公開鍵とする使用態様を用いることができるが、送信側（送信者）が多くの受信側（受信者）に送信情報配送媒体（ＲＦＩＤタグが取り付けられた印刷用紙）を配送する場合には暗号化鍵を秘密鍵、復号化鍵を公開鍵とする使用態様を用いるのが好ましい。本実施の形態では、鍵生成装置５０から暗号化鍵及び復号化鍵を受信したユーザは、暗号化鍵を秘密鍵、復号化鍵を公開鍵とし、公開鍵認証装置６０に対して公開鍵証明書の発行を依頼する。
公開鍵認証装置６０は、公開鍵処理装置６１と、公開鍵記憶装置６２等により構成されている。
公開鍵処理装置６１は、端末装置から送信された、公開鍵証明書情報（公開鍵やユーザ情報）を含む公開鍵証明書署名要求情報を受信すると、受信した公開鍵証明書署名要求情報に含まれている公開鍵やユーザ情報を、公開鍵証明書を示す公開鍵証明書識別情報に対応させて公開鍵記憶装置６２に記憶する。また、公開鍵処理装置６１は、端末装置から送信された、公開鍵証明書識別情報を含む公開鍵証明書送信要求情報を受信すると、受信した公開鍵証明書識別情報に含まれている公開鍵（本実施の形態では、復号化鍵）及びユーザ情報を公開鍵記憶装置６２から読み出し、読み出した公開鍵及びユーザ情報を含む公開鍵証明書を、公開鍵証明書送信要求情報を送信した端末装置に送信する。
公開鍵記憶装置６２は、公開鍵（本実施の形態では、復号化鍵）及びユーザ情報を公開鍵証明書識別情報に対応させて記憶する。公開鍵記憶装置６２の一例を図２に示す。図２に示す公開鍵記憶装置には、公開鍵である復号化鍵とユーザ情報であるユーザ名が、公開証明書識別情報に対応させて記憶されている。
【００１１】
本実施の形態では、送信側端末装置１０が本発明の「送信側装置」に対応し、情報処理手段１１ａが本発明の「送信側情報処理手段」に対応し、暗号化手段１１ｂが本発明の「送信側暗号化手段」に対応し、入力装置１２が本発明の「送信側入力手段」に対応し、記憶装置１３が本発明の「送信側記憶手段」に対応し、読取／書込装置１５が本発明の「送信側書込手段」に対応し、印刷装置１６が本発明の「送信側印刷手段」に対応する。
また、受信側端末装置２０が本発明の「受信側装置」に対応し、情報処理手段２１ａが本発明の「受信側情報処理手段」及び「受信側認証手段」に対応し、復号化手段２１ｂが本発明の「受信側復号化手段」に対応し、入力装置２２が本発明の「受信側入力手段」に対応し、記憶装置２３が本発明の「受信側記憶手段」に対応し、読取／書込装置２５が本発明の「受信側読取手段」に対応し、表示装置２４や印刷装置２６が本発明の「受信側出力手段」に対応する。
また、印刷用紙３０が本発明の「送信情報が印刷される印刷体」に対応し、ＲＦＩＤタグ４０が本発明の「印刷体に取り付けられる記憶媒体」に対応し、印刷用紙３０、ＲＦＩＤタグ４０及びシール体４５によって本発明の「送信情報配送媒体」が構成される。
また、鍵生成装置５０が本発明の「鍵生成手段」に対応し、公開鍵認証装置６０が本発明の「公開鍵認証装置」に対応する。
【００１２】
本実施の形態の送信側端末装置１０、受信側端末装置２０、公開鍵証明装置６０の動作を説明する。
まず、送信側に設けられる送信側端末装置１０の動作を、図３に示すフローチャート図により説明する。
処理装置１１の情報処理手段１１ａは、入力装置１２から鍵生成指示信号が入力されると、ステップＡ１で、鍵生成装置５０に鍵生成要求情報を送信し、鍵生成装置５０から暗号化鍵及び復号化鍵を受信する。そして、鍵生成装置５０から受信した暗号化鍵を記憶装置１３に記憶する。
また、情報処理手段１１ａは、鍵生成装置５０から暗号化鍵と復号化鍵を受信すると、ステップＡ２で、公開鍵証明書情報を含む公開鍵証明書署名要求情報を公開鍵認証装置６０に送信する。公開鍵証明書情報としては、公開鍵（本実施の形態では、復号化鍵）、送信者のユーザＩＤや送信者名等のユーザ情報が用いられる。
そして、情報処理手段１１ａは、ステップＡ３で、公開鍵認証装置６０から送信された公開鍵証明書識別情報を受信すると、受信した公開鍵証明書識別情報を記憶装置１３に記憶する。公開鍵証明書識別情報としては、送信側（送信者）や受信側（受信者）が公開鍵認証装置６０に公開鍵証明書の発行（公開鍵証明書の送信）を要求する場合に、公開鍵証明書の発行を要求する公開鍵を示す種々の情報を用いることができる。例えば、公開鍵ＩＤ、送信者のユーザ名やユーザＩＤ等を用いることができる。
以上のステップＡ１〜Ａ３によって、送信側端末装置１０の記憶装置１３に、送信側（送信者）に対応する暗号化鍵等が記憶される。
ステップＡ１〜Ａ３の処理は、送信情報を印刷用紙３０に印刷する毎に実行してもよいが、送信情報を印刷用紙３０に印刷する前に１回実行するのが好ましい。この場合、公開鍵認証装置６０に公開鍵証明書署名要求情報を送信した後は、ステップＡ１〜Ａ３の処理を省略することができる。
また、他の端末装置を用いて鍵生成装置５０から暗号化鍵を受信し、受信した暗号化鍵を入力装置１２等を用いて入力することによって、暗号化鍵を記憶装置１３に記憶する方法を用いることもできる。この場合には、ステップＡ１〜Ａ３の処理を省略することができる。
なお、送信側（送信者）は、情報処理手段１１ａで公開鍵認証装置６０から受信した公開鍵証明書識別情報を、送信情報を印刷した印刷用紙３０（文書）を配送する受信者に通知する。公開鍵証明書識別情報を受信者に通知する方法としては、電話、ＦＡＸや郵便を用いる方法、印刷用紙３０に送信情報とともに印刷する方法、ＲＦＩＤタグ４０に書き込む方法等種々の方法を用いることができる。受信側（受信者）は、送信側（送信者）から通知された公開鍵証明書識別情報を用いて、公開鍵認証装置６０に、送信側に対応する公開鍵を含む公開鍵証明書の発行を要求する。
【００１３】
次に、情報処理手段１１ａは、ステップＡ４で、入力装置１２から送信情報が入力されたか否かを判別する。送信情報が入力された場合にはステップＡ５に進み、送信情報が入力されなかった場合には処理を終了する。
送信情報を入力する方法としては、種々の方法を用いることができる。例えば、表示装置１４に送信情報入力画面が表示されている状態で、入力キーを用いて直接入力する方法を用いることもできるし、記憶装置１３に予め記憶されている送信情報の中からカーソル等によって選択する方法を用いることもできる。
送信情報が入力されると、情報処理手段１１ａは、ステップＡ５で、暗号化手段１１ｂに暗号化情報の生成を指示する。暗号化手段１１ｂは、暗号化情報の生成が指示されると、入力された送信情報を暗号化鍵を用いて暗号化し、暗号化情報を生成する暗号化処理を実行する。暗号化鍵としては、ステップＡ１で鍵生成装置５０から受信して記憶装置１３に記憶されている、送信側に対応する暗号化鍵が用いられる。
ここで、暗号化する送信情報としては、送信情報の少なくとも一部であればよい。送信情報の一部としては、例えば、送信情報に含まれている送信者名、送信者の住所、受信者名、受信者の住所、送信内容（本文）の一部あるいは全部を用いることができる。送信内容（本文）の一部を用いる場合には、まとまっている部分（例えば、段落単位）を選択するのが好ましい。
勿論、「送信情報の少なくとも一部を暗号化する」態様には、送信情報の全部を暗号化する態様も含まれる。
ステップＡ５で暗号化情報が生成されると、情報処理手段１１ａは、ステップＡ６で、読取／書込装置１５に暗号化情報の書き込みを指示する。読取／書込装置１５は、暗号化情報の書き込みが指示されると、アンテナ１５ａを介して、印刷用紙３０に取り付けられるＲＦＩＤタグ４０と通信を行い、暗号化手段１１ａにより生成された暗号化情報をＲＦＩＤタグ４０に書き込む。
また、情報処理手段１１ａは、ステップＡ７で、印刷装置１６に送信情報の印刷を指示する。印刷装置１６は、送信情報の印刷が指示されると、ステップＡ４で入力された送信情報を、ＲＦＩＤタグ４０が取り付けられる印刷用紙３０の印刷領域３１に印刷する。印刷領域が複数存在する場合には、各印刷領域にそれぞれの送信情報を印刷する。ステップＡ７が実行されると、処理が修了する。
なお、ＲＦＩＤタグ４０への書き込み処理と印刷用紙３０への印刷処理の順番は逆でもよい。
また、読取／書込装置と、読取／書込装置によるＲＦＩＤタグ４０への書込処理を管理する情報処理手段を有する端末装置と、印刷装置と、印刷装置による印刷用紙３０への印刷処理を管理する情報処理手段を有する端末装置を別々に設けることもできる。この場合には、両端末装置によって本発明の送信側端末装置が構成される。
【００１４】
送信側は、送信情報が印刷された印刷用紙３０を、暗号化情報が書き込まれたＲＦＩＤタグ４０を取り付けた状態で受信側に配送する。
本実施の形態では、ＲＦＩＤタグ４０を印刷用紙３０に取り付ける方法として、送信情報が印刷された印刷用紙３０に、当該送信情報の少なくとも一部が書き込まれたＲＦＩＤタグ４０が一体成形されている透明なシール体４５を、当該送信情報の少なくとも一部がシール体４５で覆われるように貼付する方法を用いている。
印刷用紙３０に印刷されている送信情報の少なくとも一部が覆われるように、シール体４５を印刷用紙３０に貼付する方法を用いることにより、ＲＦＩＤタグ４０を印刷用紙３０に容易に取り付けることができる。
また、シール体４５で覆われている箇所の送信情報の改竄を防止することができる。
また、送信情報が水性のインク等で印刷されている場合には、水等によって滲み、送信情報の判別が困難となることがある。本実施の形態では、耐水性のシール体４５で送信情報を覆うことにより、送信情報を水等から保護することができ、送信情報の判別が困難になることを防止することができる。
なお、シール体４５を印刷用紙３０から剥がすと、印刷用紙３０への再印刷やＲＦＩＤタグ４０への情報の書き込み及び情報の読み取りが不能となるように、印刷用紙３０やシール体４５の構造あるいはシール体４５の印刷用紙３０への貼付態様を選択するのが好ましい。
印刷用紙３０として、ＲＦＩＤタグ４０が予め取り付けられている印刷用紙を用いることもできる。この場合には、印刷用紙３０への送信情報の印刷の妨げにならないように取り付けられる。
【００１５】
受信側に設けられている受信側端末装置２０の動作を、図４に示すフローチャート図を用いて説明する。
処理装置２１の情報処理手段２１ａは、ステップＢ１で、公開鍵認証装置６０に、公開鍵証明書識別情報を含む公開鍵証明書送信要求情報を送信する。公開鍵証明書識別情報は、前述した方法で送信側（送信者）から受信側（受信者）に通知される。
そして、情報処理手段２１ａは、公開鍵認証装置６０から送信された、公開鍵（本実施の形態では公開鍵）やユーザ情報を含む公開鍵証明書を受信すると、受信した公開鍵証明書に含まれている公開鍵を記憶装置２３に記憶する。
以上のステップＢ１及びＢ２によって、受信側端末装置２０の記憶装置２３に、印刷用紙に印刷されている送信情報を送信した送信側（送信者）に対応する復号化鍵が記憶される。
ステップＢ１及びＢ２は、ＲＦＩＤタグ４０が取り付けられている印刷用紙３０を受け取る毎に実行してもよいが、ＲＦＩＤタグ４０が取り付けられている印刷用紙３０を受け取る前に１回実行するのが好ましい。この場合、公開鍵認証装置６０から公開鍵証明書を受信した後は、ステップＢ１及びＢ２の処理を省略することができる。
また、他の端末装置を用いて公開鍵認証装置６０から公開鍵証明書を受信し、受信した公開鍵認証装置に含まれている復号化鍵を入力装置２２等を用いて入力することによって、復号化鍵を記憶装置２３に記憶する方法を用いることもできる。この場合には、ステップＢ１及びＢ２の処理を省略することができる。
【００１６】
次に、読取／書込装置２５が、受信者が受け取った印刷用紙３０に取り付けられているＲＦＩＤタグ４０（受け取った送信情報配送媒体を構成するＲＦＩＤタグ４０）に書き込まれている暗号化情報を読み取ったか否かを判別する。ＲＦＩＤタグ４０に書き込まれている暗号化情報を読み取った場合にはステップＢ４に進み、暗号化情報を読み取っていない場合には処理を終了する。
ＲＦＩＤタグ４０から暗号化情報を読み取ると、情報処理手段２１ａは、ステップＢ４で、復号化手段２１ｂに暗号化情報の復号化を指示する。復号化手段２１ｂは、暗号化情報の復号が指示されると、読取／書込み装置２５により読み取った暗号化情報を復号化鍵を用いて復号化し、復号化情報を取得する復号化処理を実行する。復号化鍵としては、ステップＢ２で公開鍵認証装置６０から公開鍵証明書を受信した時に記憶装置２３に記憶した復号化鍵が用いられる。なお、記憶装置２３に複数の送信側（送信者）に対応する復号化鍵が記憶されている場合には、受け取った印刷用紙３０（受け取った送信情報配送媒体を構成する印刷用紙３０）に印刷されている送信情報を送信した送信側（送信者）に対応する復号化鍵を選択する。例えば、送信側では、送信者ＩＤをＲＦＩＤタグ４０に書き込み、受信側では、記憶装置２３に送信者ＩＤに対応させて復号化鍵を記憶し、ＲＦＩＤタグ４０から読み取った送信者ＩＤに対応する復号化鍵を記憶装置２３から読み出す。
このとき、情報処理手段２１ａ（受信側認証手段）は、ＲＦＩＤタグ４０から読み取った暗号化情報を公開鍵認証装置６０から受信した復号化鍵を用いて復号化手段２１ｂにより復号化可能であるか否かを判別する。復号化が可能である場合にはステップＢ６に進み、復号化が可能でない場合（不能である場合）にはステップＢ７に進む。なお、復号化が可能であるか否かを判別する方法としては、典型的には、認識可能な復号化情報を取得することができるか否かによって判別する方法を用いることができるが、送信側で暗号化された送信情報の少なくとも一部と復号化情報が一致するか否かによって判別する方法を用いることもできる。
ステップＢ６では、情報処理手段２１ａは、受信側で受け取った印刷用紙４０に印刷されている送信情報が正しい送信側（送信者）からのものである（真正である）と判断し、認証ＯＫを判別した後、処理を終了する。
一方、ステップＢ６では、受信側で受け取った印刷用紙４０に印刷されている送信情報が正しい送信者からのものでない可能性がある（改竄されている虞がある）と判断し、認証ＮＧを判別した後、処理を終了する。
なお、ステップＢ６及びＢ７において、認証ＯＫであることあるいは認証ＮＧであることを示す報知情報を受信側出力手段から出力するのが好ましい（例えば、表示装置２４に表示する、あるいは、印刷装置２６により印刷出力する）。
【００１７】
公開鍵認証装置６０の動作を、図５に示すフローチャート図を用いて説明する。
公開鍵処理装置６１は、ステップＣ１で、端末装置（例えば、送信側端末装置１０）から送信された、公開鍵証明書情報を含む公開鍵証明書署名要求情報を受信したか否かを判別する。公開鍵証明書署名要求情報を受信した場合にはステップＣ２に進み、受信しなかった場合にはステップＣ３に進む。
ステップＣ２では、公開鍵処理装置６１は、受信した公開鍵証明書署名要求情報に含まれている公開鍵証明書情報、例えば、公開鍵（本実施の形態では、復号化鍵）やユーザ情報を公開鍵証明書識別情報に対応させて公開鍵記憶装置６２に記憶する（図２参照）とともに、公開鍵証明書署名要求情報を送信した端末装置（この場合、送信側端末装置１０）に公開鍵証明書識別情報を送信した後、ステップＣ３に進む。
ステップＣ３では、端末装置（例えば、受信側端末装置２０）から送信された、公開鍵証明書識別情報を含む公開鍵証明書送信要求情報を受信したか否かを判別する。公開鍵証明書送信要求情報を受信した場合にはステップＣ４に進み、受信しなかった場合には処理を終了する。
ステップＣ４では、受信した公開鍵証明書送信要求情報に含まれている公開鍵証明書識別情報に対応する公開鍵証明書情報（公開鍵である復号化鍵やユーザ情報）を公開鍵記憶装置６２から読み出し、公開鍵証明書送信要求情報を送信した端末装置（この場合、受信側端末装置２０）に送信した後、処理を終了する。
【００１８】
本実施の形態では、送信情報が印刷されている印刷用紙を送信側から受信側者に配送する、このため、受信者は、従来と同様に、印刷用紙に印刷されている送信情報を読むことができ、送信情報の内容を容易に確認することができる。
また、印刷用紙に印刷される送信情報の少なくとも一部を送信側に対応する暗号化鍵を用いて暗号化した暗号化情報をＲＦＩＤタグ４０に書き込み、送信情報が印刷されている印刷用紙３０を、このＲＦＩＤタグ４０を取り付けた状態で受信側に配送し、受信側では、受け取った印刷用紙３０に取り付けられているＲＦＩＤタグ４０から読み取った暗号化情報を、公開鍵認証装置６０で認証された、送信側に対応する復号化鍵を用いて復号化可能であるか否かを判別することによって受け取った印刷用紙３０に印刷されている送信情報の認証を行う。このため、印刷用紙３０に印刷されている送信情報の認証を、簡単な方法で、容易に確実に行うことができる。
特に、印刷用紙に印刷する送信情報の少なくとも一部を暗号化する方法を用いているため、暗号化する入力情報の入力操作が簡単である。さらに、この場合、ＲＦＩＤタグ４０から読み取った暗号化情報から復号化した復号化情報を受信側出力手段から出力することにより、受信側では、印刷用紙に印刷されている送信情報の少なくとも一部と受信側出力手段から出力される送信情報の少なくとも一部を対比することによっても、受け取った印刷養子に印刷されている送信情報の認証を行うことができる。
また、ＲＦＩＤタグ４０を印刷用紙３０に取り付ける取付態様として、ＲＦＩＤタグ４０が一体成形されたシール体４５を印刷用紙３０に貼付する取付態様を用いているため、ＲＦＩＤタグ４０を印刷用紙３０に容易に取り付けることができる。さらに、印刷用紙３０に印刷されている送信情報の少なくとも一部を覆うように、印刷用紙３０に貼付する取付態様を用いることにより、シール体４５で覆われている箇所の送信情報の改竄を防止することができるとともに、シール体４５で覆われている箇所の送信情報を水等から保護することができる。
この場合、シール体４５を印刷用紙３０から剥がした時に、ＲＦＩＤタグ４０への情報の書き込みや情報の読み取りが不能となるように、シール体４５やＲＦＩＤタグ４０の構造等を設定することにより、ＲＦＩＤタグ４０の再利用による成りすましを防止することができる。
さらに、印刷用紙３０に印刷される送信情報の少なくとも一部を暗号化した暗号化情報をＲＦＩＤタグ４０に書き込み、ＲＦＩＤタグから読み取った暗号化情報から復号化した復号化情報を受信側出力手段に出力することにより、受信側での認証精度を高めることができる。
【００１９】
以上では、送信側端末装置１０の処理装置１１の暗号化手段１１ｂは、入力装置１２により入力された、印刷用紙３０に印刷される送信情報の少なくとも一部を暗号化鍵を用いて暗号化し暗号化情報を生成したが、暗号化する情報は印刷用紙３０に印刷される送信情報に限定されない。すなわち、復号化手段２１ｂが、送信側の暗号化手段１１ｂで用いている暗号化鍵に対応する復号化鍵を用いて暗号化情報の復号化が可能であるか否かを判別することができればよい。例えば、送信情報が商品の案内情報である場合には、その商品が掲載されているＷｅｂサイトのアドレス情報やその商品を販売している販売会社あるいは製造している製造メーカのＷｅｂサイトのアドレス情報等の、送信情報に関連する関連情報を用いることができる。あるいは、送信情報と関係がない情報を用いることもできる。
この場合には、送信側端末装置１０の動作を示す図３のフローチャート図のステップＡ４以降が、以下のステップＡ１０以降の処理に変更される。
すなわち、ステップＡ１０で、入力装置１２により入力情報が入力されたか否かを判別する。入力情報が入力された場合にはステップＡ１１に進み、入力情報が入力されなかった場合には、ステップＡ１２に進む。
暗号化手段１１ｂは、入力情報が入力された場合には、ステップＡ１１で、入力装置１２により入力された入力情報を、記憶装置１３に記憶されている暗号化鍵を用いて暗号化し暗号化情報を生成する。そして、読取／書込装置１５は、生成された暗号化情報をＲＦＩＤタグ４０に書き込んだ後、ステップＡ１２に進む。
ステップＡ１２では、入力装置１２により送信情報が入力されたか否かを判別する。送信情報が入力された場合にはステップＡ１３に進み、送信情報が入力されなかった場合には処理を終了する。
印刷装置１６は、送信情報が入力された場合には、ステップＡ１３で、入力された送信情報をＲＦＩＤタグ４０が取り付けられる印刷用紙３０に印刷する。
受信側端末装置２０の動作を示す図４のフローチャート図の各ステップの処理は同じである。
なお、暗号化情報のＲＦＩＤ４０への書き込み処理と送信情報の印刷用紙３０への印刷処理の順序は逆でもよい。
【００２０】
第１の実施の形態では、印刷用紙３０に印刷される送信情報を暗号化鍵を用いて暗号化したが、送信情報から関数値を生成し、生成した関数値を暗号化鍵を用いて暗号化することもできる。
本発明の第２の実施の形態の概略構成図を図６に示す。
本実施の形態は、送信側では、送信側（送信者）から受信側（受信者）に配送される印刷用紙に取り付けられるＲＦＩＤタグに、印刷用紙に印刷される送信情報の少なくとも一部から関数を用いて生成した関数値を暗号化した暗号化情報を書き込み、受信側では、受け取った印刷用紙に取り付けられているＲＦＩＤタグから読み取った暗号化情報を、送信側で用いられている暗号化鍵に対応する復号化鍵を用いて復号化可能であるか否かを判別し、復号化が可能である場合に受け取った印刷用紙に印刷されている送信情報が真正であることを認証する。
本実施の形態の認証装置は、第１の実施の形態と同様に、送信側に設けられる送信側端末装置１１０、受信側に設けられる受信側端末装置１２０、送信側から受信側に送信される送信情報が印刷される印刷用紙１３０、印刷用紙１３０に取り付けられるＲＦＩＤタグ１４０、鍵生成装置１５０、公開鍵認証装置１６０等により構成されている。各装置は、通信回線１７０を介して通信可能に接続されている。
送信側端末装置１１０は、第１の実施の形態の送信側端末装置１０と同様に、処理装置１１１、入力装置１１２、記憶装置１１３、表示装置１１４、読取／書込装置１１５、印刷装置１１６等を有している。
処理装置１１１は、情報処理手段１１１ａ、ハッシュ値生成手段１１１ｂ、暗号化手段１１１ｃを有している。情報処理手段１１１ａは、送信側端末装置１１０全体の動作、鍵生成装置１５０や公開鍵認証装置１６０との間での情報の送受信等を制御する。ハッシュ値生成手段１１１ｂは、入力装置１１２により入力された送信情報の少なくとも一部からハッシュ関数を用いてハッシュ値を生成する。暗号化手段１１１ｃは、ハッシュ値生成手段で生成されたハッシュ値を暗号化鍵を用いて暗号化し暗号化情報を生成する。情報処理手段１１１ａ、ハッシュ値生成手段１１１ｂ、暗号化手段１１１ｃは、ソフトウェアで構成してもよいしハードウェアで構成してもよい。
入力装置１１２、記憶装置１１３、表示装置１１４、読取／書込装置１１５、印刷装置１１６としては、第１の実施の形態と同様のものを用いることができる。
また、ＲＦＩＤタグ１４０としては、第１の実施の形態のＲＦＩＤタグ４０と同様のものを用いることができ、ＲＦＩＤタグ１４０を印刷用紙１３０に取り付ける方法としても第１の実施の形態と同様の方法を用いることができる。
受信側端末装置１２０は、第１の実施の形態の受信側端末装置２０と同様に、処理装置１２１、入力装置１２２、記憶装置１２３、表示装置１２４、読取／書込装置１２５、印刷装置１２６等を有している。
処理装置１２１は、第１の実施の形態の処理装置２１と同様に、情報処理手段１２１ａ、復号化手段１２１ｂを有している。
入力装置１２２、記憶装置１２３は、表示装置１２４、読取／書込装置１２５、印刷装置１２６としては第１の実施の形態と同様のものを用いることができる。
また、鍵生成装置１５０、公開鍵認証装置１６０としても、第１の実施の形態の鍵生成装置５０、公開化認証装置６０と同様のものを用いることができる。
【００２１】
本実施の形態では、送信側端末装置１１０が本発明の「送信側装置」に対応し、情報処理手段１１１ａが本発明の「送信側情報処理手段」に対応し、ハッシュ値生成手段１１１ｂが本発明の「関数値生成手段」に対応し、暗号化手段１１１ｃが本発明の「送信側暗号化手段」に対応する。
また、受信側端末装置１２０が本発明の「受信側装置」に対応する。
また、ハッシュ関数が本発明の「関数」に対応し、ハッシュ値が本発明の「関数値」に対応し、印刷用紙１３０が本発明の「送信情報が印刷される印刷体」に対応し、ＲＦＩＤタグ１４０が本発明の「印刷体に取り付けられる記憶媒体」に対応し、印刷用紙１３０、ＲＦＩＤタグ１４０及びシール体１４５により本発明の「送信情報配送媒体」が構成されている。
【００２２】
本実施の形態の送信側端末装置１１０、受信側端末装置１２０、公開鍵証明装置１６０の動作を説明する。
まず、送信側に設けられる送信側端末装置１２０の動作を、図７に示すフローチャート図により説明する。
図７に示すステップＤ１〜Ｄ３は、図３に示したステップＡ１〜Ａ３と同様の処理を実行する。すなわち、処理装置１１１の情報処理手段１１１ａは、ステップＤ１で、鍵生成装置１５０に鍵生成要求情報を送信し、鍵生成装置１５０から暗号化鍵及び復号化鍵を受信する。そして、鍵生成装置１５０から受信した暗号化鍵を記憶装置１１３に記憶する。
また、ステップＤ２で、公開鍵証明書情報（公開鍵である復号化鍵とユーザ情報）を含む公開鍵証明書署名要求情報を公開鍵認証装置１６０に送信する。
そして、ステップＤ３で、公開鍵認証装置１６０から公開鍵証明書識別情報を受信し、記憶装置１１３に記憶する。
なお、公開鍵証明書識別情報を、送信側から受信側に通知する方法としては、第１の実施の形態と同様の方法を用いることができる。
【００２３】
次に、情報処理手段１１１ａは、ステップＤ４で、入力装置１１２により送信情報が入力されたか否かを判別する。送信情報が入力された場合にはステップＤ５に進み、送信情報が入力されていない場合には処理を終了する。
送信情報が入力されると、情報処理手段１１１ａは、ステップＤ５で、ハッシュ値生成手段１１１ｂにハッシュ値の生成を指示する。ハッシュ値生成手段１１１ｂは、ハッシュ値の生成が指示されると、入力装置１１２により入力された送信情報の少なくとも一部から、ハッシュ関数を用いてハッシュ値αを生成する。送信情報の少なくとも一部としては、例えば、送信情報に含まれている送信者名、送信者の住所、受信者名、受信者の住所、送信内容（本文）の一部あるいは全部を用いることができる。勿論、送信情報の全部を用いることもできる。
ハッシュ値αが生成されると、情報処理手段１２１ａは、ステップＤ６で、暗号化手段１１１ｃに暗号化情報の生成を指示する。暗号化手段１１１ｃは、暗号化情報の生成が指示されると、ハッシュ値生成手段１１１ｂで生成されたハッシュ値αを、暗号化鍵を用いて暗号化し暗号化情報を生成する暗号化処理を実行する。暗号化鍵としては、ステップＤ１で鍵生成装置１５０から受信して記憶装置１３に記憶されている、送信側（送信者）に対応する暗号化鍵が用いられる。
ステップＤ６で暗号化情報が生成されると、情報処理手段１１１ａは、ステップＤ７で、読取／書込装置１１５に暗号化情報の書き込みを指示する。読取／書込装置１１５は、書き込みが指示されると、暗号化手段１１１ｃにより生成された暗号化情報をＲＦＩＤタグ１４０に書き込む。
ステップＤ８では、情報処理手段１１１ａは、印刷装置１１６に送信情報の印刷を指示する。印刷装置１１６は、送信情報の印刷が指示されると、ステップＤ４で入力された送信情報を、ＲＦＩＤタグ１４０が取り付けられる印刷用紙３０に印刷する。ステップＤ８が実行されると、処理が修了する。
なお、受信側端末装置１２０の動作は、復号化情報がハッシュ値である点を除いて、図４に示した、第１の実施の形態の受信側端末装置２０の動作と同様である。
また、公開鍵認証装置１６０の動作も、図５に示した、第１の実施の形態の公開鍵認証装置６０の動作と同様である。
【００２４】
第２の実施の形態においても、第１の実施の形態と同様に、送信情報が印刷されている印刷用紙が送信側から受信側に配送されるため、受信者は、従来と同様に、印刷用紙に印刷されている送信情報を読むことができ、送信情報の内容を容易に確認することができる。
また、送信側では、印刷用紙に印刷される送信情報の少なくとも一部からハッシュ関数を用いてハッシュ値を生成し、生成したハッシュ値を送信側に対応する暗号化鍵を用いて暗号化した暗号化情報をＲＦＩＤタグ１４０に書き込み、送信情報が印刷されている印刷用紙１３０を、このＲＦＩＤタグ１４０を取り付けた状態で受信側に配送し、受信側では、受け取った印刷用紙１３０に取り付けられているＲＦＩＤタグ１４０から読み取った暗号化情報を、公開鍵認証装置１６０で認証された、送信側に対応する復号化鍵を用いて復号化可能であるか否かを判別することによって、受け取った印刷用紙１３０に印刷されている送信情報の認証を行っている。このため、印刷用紙１３０に印刷されている送信情報の認証を、簡単な操作で、容易に確実に行うことができる。
特に、本実施の形態では、送信情報の少なくとも一部をハッシュ値に変換し、ハッシュ値を暗号化しているため、暗号化情報のデータ量を低減することができる。これにより、記憶容量の少ないＲＦＩＤタグ１４０を用いることができる。
【００２５】
なお、第２の実施の形態では、受信側で、ＲＦＩＤタグ１４０から読み取った暗号化情報から復号化したハッシュ値と、受け取った印刷用紙１３０に印刷されている送信情報の少なくとも一部から生成したハッシュ値を比較し、比較結果によって印刷用紙１３０に印刷されている送信情報が真正であるか否かを認証することもできる。
ハッシュ値の比較によって印刷用紙１３０に印刷されている送信情報の認証を行う場合には、受信側端末装置１２０に、印刷用紙１３０に印刷されている情報を電子情報に変換する情報変換手段（例えば、光学式文字読取装置ＯＣＲ）（本発明の「受信側情報変換手段」に対応）と、電子情報からハッシュ関数を用いてハッシュ値を生成するハッシュ値生成手段（本発明の「受信側関数値生成手段」に対応）を設ける。
この場合、受信側情報変換手段により、受信側で受け取った印刷用紙１３０に印刷されている送信情報の少なくとも一部（送信側端末装置１１０のハッシュ値生成手段１１１ｂがハッシュ値を生成した、送信情報の少なくとも一部に対応する）を電子情報に変換する。そして、受信側ハッシュ値生成手段により、情報変換手段で電子情報に変換された送信情報の少なくとも一部からハッシュ関数を用いてハッシュ値を生成する。
情報処理手段１２１ａは、受信側ハッシュ値生成手段で生成されたハッシュ値と、印刷用紙１３０に取り付けられているＲＦＩＤタグ１４０に書き込まれている暗号化情報から復号化した復号化情報に含まれているハッシュ値を比較し、両ハッシュ値が一致している場合に、印刷用紙１３０に印刷されている送信情報が真正であることを認証する。
【００２６】
また、第２の実施の形態では、印刷用紙１３０に印刷される送信情報の少なくとも一部を暗号化して暗号化情報を生成し、あるいは、印刷用紙１３０に印刷される送信情報の少なくとも一部からハッシュ値を生成し、生成したハッシュ値を暗号化して暗号化情報を生成したが、暗号化する情報、あるいは、ハッシュ値を生成する情報は、印刷用紙１３０に印刷される送信情報に限定されない。例えば、前述したように、送信情報に関連する関連情報や送信情報に関係ない情報を用いることができる。
印刷用紙１３０に印刷される送信情報以外の入力情報を暗号化する場合には、送信側端末装置１１０の動作が、前述したように変更される。
また、印刷用紙１３０に印刷される送信情報以外の入力情報からハッシュ値を生成する場合には、送信側端末装置１０の動作を示す図７のフローチャート図のステップＤ４以降が、以下のステップＤ１０以降の処理に変更される。
すなわち、ステップＤ１０で、入力装置１１２により入力情報が入力されたか否かを判別する。入力情報が入力された場合にはステップＤ１１に進み、入力情報が入力されなかった場合には、ステップＤ１３に進む。
ハッシュ値生成手段１１１ｂは、入力情報が入力された場合には、ステップＤ１１で、入力装置１１２により入力された入力情報からハッシュ値αを生成する。
暗号化手段１１１ｃは、ステップＤ１２で、ステップＤ１１で生成されたハッシュ値αを、記憶装置１１３に記憶されている暗号化鍵を用いて暗号化し暗号化情報を生成する。そして、読取／書込装置１１５は、生成された暗号化情報をＲＦＩＤタグ１４０に書き込んだ後、ステップＤ１３に進む。
ステップＤ１３では、入力装置１１２により送信情報が入力されたか否かを判別する。送信情報が入力された場合には、ステップＤ１４に進み、送信情報が入力されなかった場合には処理を終了する。
印刷装置１１６は、送信情報が入力された場合には、ステップＤ１４で、入力装置１１２により入力された送信情報を、ＲＦＩＤタグ４０が取り付けられる印刷用紙３０に印刷する。
受信側端末装置２０の動作を示す図４のフローチャート図の各ステップの処理は同じである。
なお、第２の実施の形態では、ハッシュ関数を用いてハッシュ値を生成したが、関数値を生成する関数としてはハッシュ関数以外の種々の関数を用いることができる。
【００２７】
第１及び第２の実施の形態では、ＲＦＩＤタグに暗号化情報を書き込んだが、暗号化情報を公開鍵認証装置に記憶させる方法を用いることもできる。
この場合には、送信側端末装置の情報処理手段は、暗号化手段で暗号化された暗号化情報を含む暗号化情報登録要求情報を公開鍵認証装置に送信する。
公開鍵処理装置は、暗号化情報登録要求情報を受信すると、受信した暗号化登録要求情報に含まれている暗号化情報を暗号化情報識別情報に対応させて公開鍵記憶装置に記憶するとともに、暗号化情報識別情報を、暗号化情報登録要求情報を送信した端末装置に送信する。
送信側端末装置は、公開鍵認証装置から送信された暗号化情報識別情報を受信すると、受信した暗号化情報識別情報を読取／書込装置によりＲＦＩＤタグに書き込む。
受信側端末装置の情報処理手段は、読取／書込装置により、受信側で受け取った印刷用紙に取り付けられているＲＦＩＤタグに書き込まれている暗号化情報識別情報を読み取ると、読み取った暗号化情報識別情報を含む暗号化情報送信要求情報を公開鍵認証装置に送信する。
公開鍵認証装置は、暗号化情報送信要求情報を受信すると、受信した暗号化情報送信要求情報に含まれている暗号化情報識別情報に対応する暗号化情報を公開鍵記憶装置から読み出し、暗号化情報送信要求情報を送信した端末装置に送信する。
受信側端末装置は、公開鍵認証装置から暗号化情報を受信すると、復号化手段により、受信した暗号化情報を、送信側（送信者）に対応する復号化鍵（受信側記憶装置に記憶されている、送信側に対応する復号化鍵）を用いて復号化する。
この方法を用いる場合には、暗号化情報が公開鍵認証装置に記憶されるため、暗号化情報が改竄される虞が非常に少なくなる。これにより、印刷用紙に印刷されている送信情報が真正であることをより確実に認証することができる。
【００２８】
また、第１及び第２の実施の形態では、送信側端末装置で暗号化情報を生成したが、認証装置側で暗号化情報を生成することもできる。
本発明の第３の実施の形態の概略構成図を図８に示す。
本実施の形態は、送信側では、印刷用紙に印刷される送信情報の少なくとも一部から生成したハッシュ値αを含む時刻認証情報送信要求情報を時刻認証装置に送信し、時刻認証装置から受信した時刻認証情報をＲＦＩＤタグに書き込む。時刻認証装置は、受信した時刻認証情報送信要求情報に含まれているハッシュ値αと時刻情報Ｔからハッシュ値βを生成し、生成したハッシュ値βを時刻認証装置の暗号化鍵を用いて暗号化した暗号化情報と、ハッシュ値α、時刻情報Ｔを含む時刻認証情報を、時刻認証情報送信要求情報を送信した端末装置に送信する。受信側では、ＲＦＩＤタグから読み取った時刻認証情報に含まれている暗号化情報を時刻認証装置の復号化鍵を用いて復号化し復号化情報を取得し、取得した復号化情報に含まれているハッシュ値αと時刻情報Ｔからハッシュ値を生成し、生成したハッシュ値と読み取った時刻認証情報に含まれているハッシュ値が一致する場合に、印刷用紙に印刷されている送信情報が真正であることを認証する。
【００２９】
本実施の形態の認証装置は、送信側に設けられる送信側端末装置２１０、受信側に設けられる受信側端末装置２２０、送信側から受信側に送信される送信情報が印刷される印刷用紙２３０、印刷用紙２３０に取り付けられるＲＦＩＤタグ２４０、時刻認証装置２６０等により構成されている。各装置は、通信回線２７０を介して通信可能に接続されている。
送信側端末装置２１０は、処理装置２１１、入力装置２１２、記憶装置２１３、表示装置２１４、読取／書込装置２１５、印刷装置２１６等を有している。
処理装置２１１は、情報処理手段２１１ａ、ハッシュ値生成手段２１１ｂを有している。情報処理手段２１１ａは、送信側端末装置２１０全体の動作、時刻認証装置２５０との間での情報の送受信等を制御する。ハッシュ値生成手段２１１ｂは、入力装置２１２により入力された送信情報の少なくとも一部からハッシュ関数を用いてハッシュ値αを生成する。
入力装置２１２、記憶装置２１３、表示装置２１４、読取／書込装置２１５、印刷装置２１６としては、第１の実施の形態と同様のものを用いることができる。
また、ＲＦＩＤタグ２４０としては、第１の実施の形態のＲＦＩＤタグと同様のものを用いることができ、ＲＦＩＤタグ２４０を印刷用紙２３０に取り付ける取付態様としても第１の実施の形態と同様の取付態様を用いることができる。
【００３０】
受信側端末装置２２０は、処理装置２２１、入力装置２２２、記憶装置２２３、表示装置２２４、読取／書込装置２２５、印刷装置２２６等を有している。
処理装置２２１は、情報処理手段２２１ａ、ハッシュ値生成手段２２１ｂ、復号化手段２２１ｃを有している。情報処理手段２２１ａは、受信側端末装置２２０全体の動作、時刻認証装置２５０との間での情報の送受信、認証動作等を制御する。ハッシュ値生成手段２２１ｂは、送信側端末装置２１０のハッシュ値生成手段２１１ｂと同じハッシュ関数を用いてハッシュ値を生成する。復号化手段２２１ｃは、ＲＦＩＤタグ２４０に書き込まれている暗号化情報を復号化し復号化情報を取得する。
入力装置２２２、記憶装置２２３、表示装置２２４、読取／書込装置２２５、印刷装置２２６としては、第１の実施の形態と同様のものを用いることができる。
【００３１】
時刻認証装置２６０は、処理装置２６１、鍵記憶装置２６２、時刻情報出力装置２６３等により構成されている。
処理装置２６１は、情報処理手段２６１ａ、暗号化手段２６１ｂ、ハッシュ値生成手段２６１ｃを有している、情報処理手段２６１ａは、時刻認証装置２６０全体の動作、送信側端末装置２１０や受信側端末装置２２０との間での情報の送受信等を制御する。暗号化手段２６１ｂは、鍵記憶装置２６２に記憶されている、時刻認証装置２６０に対応する暗号鍵を用いて暗号化を行う。ハッシュ値生成手段２６１ｃは、送信側端末装置２１０のハッシュ値生成手段２１１ｂと同じハッシュ関数を用いてハッシュ値を生成する。
鍵記憶装置２６２には、時刻認証装置２６０の暗号化鍵及び復号化鍵が記憶されている。
時刻情報出力装置２６３は、時刻情報を出力する。なお、時刻情報出力装置２６３は、外部に設けられている時刻情報出力装置から出力される時刻情報を受信して出力するものであってもよい。
【００３２】
本実施の形態では、送信側端末装置２１０が本発明の「送信側装置」に対応し、情報処理手段２１１ａが本発明の「送信側情報処理手段」に対応し、入力装置２１２が本発明の「送信側入力手段」に対応し、記憶装置２１３が本発明の「送信側記憶手段」に対応し、読取／書込装置２１５が本発明の「送信側書込手段」に対応し、印刷装置２１６が本発明の「送信側印刷手段」に対応する。
また、受信側端末装置２２０が本発明の「受信側装置」に対応し、情報処理手段２２１ａが本発明の「受信側情報処理手段」及び「受信側認証手段」に対応し、ハッシュ値生成手段２２１ｂが本発明の「受信側関数値生成手段」に対応し、復号化手段２２１ｃが本発明の「受信側復号化手段」に対応し、入力装置２２２が本発明の「受信側入力手段」に対応し、記憶装置２２３が本発明の「受信側記憶手段」に対応し、読取／書込装置２２５が本発明の「受信側読取手段」に対応し、表示装置２２４や印刷装置２２６が本発明の「受信側出力手段」に対応する。
また、時刻認証装置２６０が本発明の「時刻認証装置」に対応し、情報処理手段２６１ａが本発明の「時刻認証側情報処理手段」に対応し、暗号化手段２６１ｂが本発明の「時刻認証側暗号化手段」に対応し、ハッシュ値生成手段２６１ｃが本発明の「時刻認証側関数値生成手段」に対応し、鍵記憶装置２６２が本発明の「時刻認証側記憶手段」に対応し、時刻情報出力装置２６３が本発明の「時刻情報出力手段」に対応する。
また、印刷用紙２３０が本発明の「送信情報が印刷される印刷体」に対応し、ＲＦＩＤタグ２４０が本発明の「印刷体に取り付けられる記憶媒体」に対応し、印刷用紙２３０、ＲＦＩＤタグ２４０及びシール体２４５により本発明の「送信情報配送媒体」が構成されている。
【００３３】
本実施の形態の送信側端末装置２１０、受信側端末装置２２０、時刻認証装置２６０の動作を説明する。
まず、送信側に設けられる送信側端末装置２２０の動作を、図９に示すフローチャート図により説明する。
処理装置２１１の情報処理手段２１１ａは、ステップＥ１で、入力装置２１２から送信情報が入力されたか否かを判別する。送信情報が入力された場合にはステップＥ２に進み、送信情報が入力されていない場合には処理を終了する。
送信情報が入力されると、情報処理手段２１１ａは、ステップＥ２で、ハッシュ値生成手段２１１ｂにハッシュ値の生成を指示する。ハッシュ値生成手段２１１ｂは、ハッシュ値の生成が指示されると、入力された送信情報からハッシュ関数を用いてハッシュ値αを生成する。ここで、ハッシュ値を生成する送信情報としては、送信情報の少なくとも一部であればよい。
ステップＥ２でハッシュ値αが生成されると、情報処理手段２１１ａは、ステップＥ３で、ハッシュ値生成手段２１１ｂにより生成されたハッシュ値αを含む時刻認証情報送信要求情報を時刻認証装置２６０に送信する。
情報処理手段２１１ａは、時刻認証装置２６０から送信された時刻認証情報を受信すると、ステップＥ５で、読取／書込装置２１５に時刻認証情報の書き込みを指示する。
読取／書込装置２１５は、時刻認証情報の書き込みが指示されると、アンテナ２１５ａを介して、印刷用紙２３０に取り付けられるＲＦＩＤタグ２４０と通信を行い、情報処理手段２１１ａがステップＥ４で受信した時刻認証情報をＲＦＩＤタグ２４０に書き込む。
また、情報処理手段２１１ａは、ステップＥ６で、印刷装置２１６に送信情報の印刷を指示する。印刷装置２１６は、送信情報の印刷が指示されると、ステップＥ１で入力された送信情報を、ＲＦＩＤ２４０が取り付けられる印刷用紙２３０に印刷する。ステップＥ６が実行されると、処理が修了する。
送信側は、送信情報が印刷された印刷用紙２３０を、時刻認証情報が書き込まれたＲＦＩＤタグ２４０を取り付けた状態で受信側に配送する。
ＲＦＩＤタグ２４０としては、第１の実施の形態のＲＦＩＤタグ４０と同様のものを用いることができ、ＲＦＩＤタグ２４０の印刷用紙２３０への取付態様としても第１の実施の形態と同様の取付態様を用いることができる。
【００３４】
受信者側に設けられている受信側端末装置２２０の動作を、図１０に示すフローチャート図を用いて説明する。
処理装置２２１の情報処理手段２２１ａは、ステップＦ１で、送信側が利用している時刻認証装置２６０に、復号化鍵送信要求情報を送信する。
そして、情報処理手段２２１ａは、ステップＦ２で、時刻認証装置２６０から送信された、時刻認証装置２６０の復号化鍵を受信すると、受信した復号化鍵を記憶装置２２３に記憶する。
以上のステップＦ１及びＦ２によって、受信者側の受信者端末装置２２０の記憶装置２２３に、時刻認証装置２６０に対応する復号化鍵が記憶される。
ステップＦ１及びＦ２は、印刷用紙２３０を受け取る毎に実行してもよいが、印刷用紙２３０を受け取る前に１回実行するのが好ましい。この場合、時刻認証装置２６０から復号化鍵を受信した後は、ステップＦ１及びＦ２の処理を省略することができる。
また、他の端末装置で時刻認証装置２６０から復号化鍵を受信し、入力装置２２２等を用いて入力することにより、復号化鍵を記憶装置２２２に記憶する方法を用いてもよい。この場合には、ステップＦ１及びＦ１２の処理を省略することができる。
【００３５】
次に、ステップＦ３で、読取／書込装置２２５が、受信側で受け取った印刷用紙２３０に取り付けられているＲＦＩＤタグ２４０に書き込まれている時刻認証情報を読み取ったか否かを判別する。ＲＦＩＤタグ２４０に書き込まれている時刻認証情報を読み取った場合にはステップＦ４に進み、暗号化情報を読み取っていない場合には、処理を終了する。
ＲＦＩＤタグ２４０から時刻認証情報を読み取ると、情報処理手段２２１ａは、ステップＦ４で、復号化手段２２１ｃに復号化を指示する。復号化手段２２１ｃは、復号化が指示されると、ステップＦ３で読取／書込装置２２５が読み取った時刻認証情報に含まれている暗号化情報を、復号化鍵を用いて復号化し復号化情報（復号{ハッシュ値β}）を取得する復号化処理を実行する。復号化鍵としては、ステップＦ２で時刻認証装置２６０から受信して記憶装置２２３に記憶されている、時刻認証装置２６０の復号化鍵が用いられる。
そして、情報処理手段２２１ａは、ステップＦ５で、ハッシュ値生成手段２２１ｂにハッシュ値の生成を指示する。ハッシュ値生成手段２２１ｂは、ハッシュ値の生成が指示されると、ステップＦ３で書込／読取装置２２５により読み取った時刻認証情報に含まれているハッシュ値αと時刻情報Ｔから、ハッシュ関数を用いてハッシュ値を生成する。
また、ステップＦ６で、情報処理手段２２１ａ（受信側認証手段）は、ステップＦ５で生成されたハッシュ値が、ステップＦ４で取得した復号化情報（復号{ハッシュ値β}）と一致しているか否かを判別する。両ハッシュ値が一致する場合にはステップＦ７に進み、一致しない場合にはステップＦ８に進む。
ステップＦ７では、情報処理手段２２１ａは、受信側で受け取った印刷用紙２４０に印刷されている送信情報が正しい送信側（送信者）からのものである（印刷用紙２４０に印刷されている送信情報が真正である）と判断し、認証ＯＫを判別した後、処理を終了する。
一方、ステップＦ８では、受信側で受け取った印刷用紙２４０に印刷されている送信情報が正しい送信側（送信者）からのものでない虞がある（印刷用紙２４０に印刷されている送信情報が真正でない）と判断し、認証ＮＧを判別した後、処理を終了する。
なお、ステップＦ７及びＦ８において、認証ＯＫであることあるいは認証ＮＧであることを示す報知情報を受信側出力手段から出力するのが好ましい。
【００３６】
時刻認証装置２６０の動作を、図１１に示すフローチャート図を用いて説明する。
情報処理装置２６１の情報処理手段２６１ａは、ステップＧ１で、時刻認証情報送信要求情報を受信したか否かを判別する。時刻認証情報送信要求情報を受信した場合にはステップＧ２に進み、受信しなかった場合にはステップＧ３に進む。
ステップＧ２では、時刻認証情報を作成し、時刻認証情報送信要求情報を送信した端末装置（例えば、送信側端末装置２１０）に送信する。
例えば、まず、情報処理手段２６１ａは、ハッシュ値生成手段２６１ｃにハッシュ値の生成を指示する。ハッシュ値生成手段２６１ｃは、ハッシュ値の生成が指示されると、受信した時刻認証情報送信要求情報に含まれているハッシュ値αと、時刻情報出力手段２６３から出力される時刻情報Ｔから、ハッシュ関数を用いてハッシュ値βを生成する。時刻情報Ｔとしては、ハッシュ値βを生成する時点や時刻認証情報送信要求情報を受信した時点等の適宜の時点で時刻情報出力手段２６３から出力される時刻情報を用いることができる。次に、情報処理手段２６１ａは、暗号化手段２６１ｂに暗号化情報の生成を指示する。暗号化手段２６１ｂは、暗号化情報の生成が指示されると、ハッシュ値生成手段２６１ｃで生成されたハッシュ値βを、時刻認証装置２６０に対応する暗号化鍵（鍵記憶装置２６２に記憶されている）を用いて暗号化し暗号化情報（暗号{ハッシュ値β}）を生成する。そして、情報処理手段２６１ａは、時刻認証情報送信要求情報に含まれているハッシュ値α、ハッシュ値βを生成する際に用いた時刻情報Ｔ、暗号化生成手段２６１ｂで生成された暗号化情報（暗号{ハッシュ値β}）を含む時刻認証情報（＝ハッシュ値α＋時刻情報Ｔ＋暗号{ハッシュ値β}）を作成し、時刻認証情報送信要求情報を送信した送信側端末装置２１０に送信する。
ステップＧ３では、情報処理手段２６１ａは、復号化鍵送信要求情報を受信したか否かを判別する。復号化鍵送信要求情報を受信した場合にはステップＧ４に進み、復号化鍵送信要求情報を受信しなかった場合には処理を終了する。
ステップＧ４では、情報処理手段２６１ａは、鍵記憶装置２６２に記憶されている、時刻認証装置２６０に対応する復号化鍵を読み出し、復号化鍵送信要求情報を送信した端末装置（例えば、受信側端末装置２２０）に送信する。ステップＧ４を実行した後、処理を終了する。
【００３７】
本実施の形態では、送信情報が印刷されている印刷用紙２３０が送信側から受信側に配送される。このため、受信者は、従来と同様に、受け取った印刷用紙２３０に印刷されている送信情報を読むことによって、送信情報の内容を容易に確認することができる。
また、送信側では、時刻認証装置２６０で生成された、時刻認証装置２６０に対応する暗号化鍵を用いて暗号化された暗号化情報を含む時刻認証情報をＲＦＩＤタグ２４０に書き込み、送信情報が印刷されている印刷用紙２３０を、このＲＦＩＤタグ２４０を取り付けた状態で受信側に配送し、受信側では、受け取った印刷用紙２３０に取り付けられているＲＦＩＤタグ２４０から読み取った時刻認証情報に含まれている暗号化情報を、時刻認証装置２６０から受信した時刻認証装置２６０の復号化鍵を用いて復号化し、復号化情報に含まれているハッシュ値が、時刻認証情報に含まれているハッシュ値と時刻情報から生成したハッシュ値と一致しているか否かを判別することによって、受け取った印刷用紙２３０に印刷されている送信情報の認証を行う。このため、印刷用紙２３０に印刷されている送信情報の認証を、簡単な操作で、容易に確実に行うことができる。特に、時刻認証装置２６０で生成された、時刻認証装置２６０の暗号化鍵を用いて暗号化した暗号化情報を用いるとともに、時刻認証装置２６０から受信した復号化鍵を用いて暗号化情報を復号化するため、受信側で受け取った印刷用紙に印刷されている送信情報が真正であることをより確実に認証することができる。
【００３８】
以上では、送信情報の少なくとも一部から生成したハッシュ値α、時刻情報Ｔ、ハッシュ値αと時刻情報Ｔから生成したハッシュ値βを暗号化した暗号化情報を含む時刻認証情報を用いたが、時刻認証情報としては、これ以外の種々の時刻認証情報を用いることができる。
例えば、時刻情報Ｔを時刻認証装置２６０の暗号化鍵を用いて暗号化した暗号化情報を含む時刻認証情報を用いることができる。
この場合には、送信側端末装置２１０から時刻認証装置２６０に時刻認証情報送信要求情報を送信する。この場合、送信側端末装置２１０から時刻認証情報送信要求情報を送信する時期としては、任意の時期を選択することができるが、入力装置２１２により送信情報が入力された時点以降の時期を選択するのが好ましい。時刻認証装置２６０の情報処理手段２６１ａが時刻認証情報送信要求情報を受信すると、暗号化手段２６１ｂにより、時刻情報出力手段２６３から出力される時刻情報Ｔを、時刻認証装置２６０の暗号化鍵を用いて暗号化し暗号化情報を生成する。そして、情報処理手段２６１ａは、暗号化情報を含む時刻認証情報を、時刻認証情報送信要求情報を送信した送信側端末装置２１０に送信する。
送信側端末装置２１０は、時刻認証装置２６０から受信した時刻認証情報を、読取／書込装置２１５によりＲＦＩＤタグ２４０に書き込む。
受信側端末装置２２０では、読取／書込装置２２５により、受け取った印刷用紙２３０に取り付けられているＲＦＩＤタグ２４０に書き込まれている時刻認証情報を読み取る。そして、復号化手段２２１ｃにより、読み取った時刻認証情報に含まれている暗号化情報を、時刻認証装置２６０の復号化鍵を用いて復号化し復号化情報を取得する。情報処理手段２６１ａ（受信側認証手段）は、復号化手段２２１ｃにより時刻認証装置２６０の復号化鍵を用いて暗号化情報を復号化可能であるか否かを判断し、復号化が可能である場合に、受信側で受け取った印刷用紙２３０に印刷されている送信情報が真正であること（認証ＯＫ）を認証する。
【００３９】
あるいは、時刻情報Ｔと、時刻情報Ｔを時刻認証装置２６０の暗号化鍵を用いて暗号化した暗号化情報を含む時刻認証情報を用いることができる。
この場合には、送信側端末装置２１０から時刻認証装置２６０に時刻認証情報送信要求情報を送信する。時刻認証情報送信要求情報の送信時期は、前記と同様に任意の時期を選択することができる。情報処理手段２６１ａが時刻認証情報送信要求情報を受信すると、暗号化手段２６１ｂにより、時刻情報出力手段２６３から出力される時刻情報Ｔを、時刻認証装置２６０の暗号化鍵を用いて暗号化し暗号化情報を生成する。そして、情報処理手段２６１ａは、時刻情報Ｔと暗号化情報を含む時刻認証情報を、時刻認証情報送信要求情報を送信した送信側端末装置２１０に送信する。
送信側端末装置２１０は、時刻認証装置２６０から受信した時刻認証情報を、読取／書込装置２１５によりＲＦＩＤタグ２４０に書き込む。
受信側端末装置２２０では、読取／書込装置２２５により、受信側で受け取った印刷用紙２３０に取り付けられているＲＦＩＤタグ２４０に書き込まれている時刻認証情報を読み取る。そして、復号化手段２２１ｃにより、読み取った時刻認証情報に含まれている暗号化情報を、時刻認証装置２６０の復号化鍵を用いて復号化し復号化情報を取得する。情報処理手段２６１ａ（受信側認証手段）は、復号化情報に含まれている時刻情報が、読み取った時刻認証情報に含まれている時刻情報に一致するか否かを判別し、両時刻情報が一致する場合に、受信側で受け取った印刷用紙２３０に印刷されている送信情報が真正であること（認証ＯＫ）を認証する。
【００４０】
また、時刻認証情報に含まれている時刻情報と時刻認証装置に記憶されている時刻情報を比較することによって、受信側で受け取った印刷用紙に印刷されている送信情報が真正であることを認証することもできる。
この場合には、時刻認証装置２６０は、送信側端末装置２１０から送信された時刻認証情報送信要求情報を送信すると、時刻情報出力手段２６３から出力される時刻情報Ｔを、時刻認証装置２６０の暗号化鍵を用いて暗号化した暗号化情報と時刻情報識別情報を含む時刻認証情報を、時刻認証情報送信要求情報を送信した送信側端末装置２１０に送信する。同時に、時刻情報Ｔを時刻情報識別情報に対応させて鍵記憶装置（時刻認証側記憶手段）２６３に記憶する。
送信側端末装置２１０は、時刻認証装置２６０から受信した時刻認証情報を、読取／書込装置２１５によりＲＦＩＤタグ２４０に書き込む。
受信側端末装置２２０では、読取／書込装置２２５により、受け取った印刷用紙２３０に取り付けられるＲＦＩＤタグ２４０に書き込まれている時刻認証情報を読み取る。情報処理手段２２１ａは、読み取った時刻認証情報に含まれている時刻情報識別情報を含む時刻情報送信要求情報を時刻認証装置２６０に送信する。時刻認証装置２６０は、時刻情報送信要求情報を受信すると、受信した時刻情報送信要求情報に含まれている時刻情報識別情報に対応する時刻情報Ｔを、鍵記憶装置２６３から読み出し、時刻情報送信要求情報を送信した受信側端末装置２２０に送信する。また、復号化手段２２１ｃは、読み取った時刻認証情報に含まれている暗号化情報を、時刻認証装置２６０の復号化鍵を用いて復号化し復号化情報を取得する。そして、情報処理手段２６１ａ（受信側認証手段）は、復号化情報に含まれている時刻情報と、時刻認証装置２６０から受信した時刻情報Ｔが一致するか否かを判別し、両時刻情報が位置する場合に、受信側で受け取った印刷用紙２３０に印刷されている送信情報が真正であること（認証ＯＫ）を認証する。
【００４１】
また、時刻認証情報に含まれている暗号化情報を復号化し、復号化情報に含まれているハッシュ値と時刻情報から生成したハッシュ値を、時刻認証情報に含まれているハッシュ値を比較したが、印刷用紙２３０に印刷されている送信情報の少なくとも一部を前述した情報変換手段により電子情報に変換し、変換された電子情報から生成したハッシュ値と比較してもよい。
また、印刷用紙に印刷される送信情報の少なくとも一部から生成したハッシュ値を用いたが、送信情報に関連する関連情報や送信情報に関係ない情報等の送信情報と異なる入力情報から生成したハッシュ値を用いることもできる。
【００４２】
第１〜第３の実施の形態では、本発明を認証装置として構成した場合について説明したが、本発明は、第１〜第３の実施の形態の認証装置に好適に使用することができる送信情報配送媒体として構成することもできる。すなわち、送信情報が印刷された印刷体と、印刷体に取り付けられた記憶媒体により送信情報配送媒体を構成することができる。
本発明の送信情報配送媒体の好適な実施の形態を図１により説明する。
本実施の形態は、印刷用紙３０と、シール体４５と、ＲＦＩＤタグ４０により構成されている。
印刷用紙３０には、送信側から受信側に送信される送信情報が印刷されている。
シール体４５は、ＲＦＩＤタグ４０と一体成形されている。また、シール体４５は、印刷用紙３０に印刷されている送信情報の少なくとも一部を覆って印刷用紙３０に貼付可能に構成されている。例えば、シール体４５の一方側の面に、接着剤が塗布されている。さらに、シール体４５は、送信情報を覆うように印刷用紙３０に貼付されている状態で、当該シール体４５を介して、当該シール体４５により覆われている送信情報を判別可能な透明性を有している。
なお、ＲＦＩＤタグ４０及びシール体４５としては、ＲＦＩＤ４０がシール体４５に一体成形されている状態で、ＲＦＩＤタグ４０への情報の書き込み及びＲＦＩＤタグ４０からの情報の読み取りが可能となるＲＦＩＤタグ及びシール体が選択される。
また、シール体４５の形状（大きさ）は、印刷用紙３０の印刷領域３１に印刷されている送信情報の少なくとも一部を覆った状態で、シール体４５を印刷用紙３０に貼付可能な形状に設定される。シール体４５の形状は、印刷用紙３０の外周縁からはみ出ないように、印刷用紙３０に印刷されている送信情報の少なくとも一部を覆った状態でシール体４５を印刷用紙３０に印刷可能な形状に形成するのが好ましい。
【００４３】
本実施の形態では、印刷用紙３０が本発明の「送信情報が印刷されている印刷体」に対応し、シール体４５が本発明の「印刷体に印刷されている送信情報の少なくとも一部を覆うように、印刷体に貼付されるシール体」に対応し、ＲＦＩＤタグ４０が本発明の「シール体に一体成形されている記憶媒体」に対応し、印刷用紙３０、ＲＦＩＤタグ４０及びシール体４５によって本発明の「送信情報配送媒体」が構成されている。
【００４４】
本実施の形態の送信情報配送媒体を用いることにより、記憶媒体を印刷体に容易に取り付けることができる。これにより、記憶媒体が取り付けられた印刷体、すなわち、送信側から受信側に配送される送信情報が印刷された印刷体と、印刷体に取り付けられている記憶媒体により構成される送信情報配送媒体を容易に得ることができる。
また、印刷体に印刷されている送信情報の少なくとも一部がシール体で覆われているため、シール体で覆われている箇所に印刷されている送信情報の改竄を防止することができるとともに、シール体で覆われている箇所に印刷されている送信情報を水等から保護することができる。
また、記憶媒体がシール体と一体成形され、シール体を印刷体に貼付しているため、印刷用紙に記憶媒体が取り付けられていても、送信情報配送媒体が嵩張ることがない（厚さ、大きさ、重量が大きく増大することがない）。これにより、送信情報配送媒体の取り扱いが容易である。
【００４５】
以上の実施の形態では、送信情報配送媒体を構成する記憶媒体（印刷体に取り付けられる記憶媒体）に、種々の情報を暗号化した暗号化情報（例えば、入力装置により入力された入力情報あるいは印刷体に印刷される送信情報の少なくとも一部を送信側の暗号化鍵を用いて暗号化した暗号化情報、入力装置により入力された入力情報あるいは印刷体に印刷される送信情報の少なくとも一部から生成した関数値を送信側の暗号化鍵を用いて暗号化した暗号化情報、時刻情報出力手段から出力される時刻情報を時刻認証装置の暗号化鍵を用いて暗号化した暗号化情報等）を書き込んだが、暗号化されていない種々の情報を（例えば、印刷体に印刷される送信情報に関連する情報や送信情報の少なくとも一部等）を書き込むこともできる。
【００４６】
送信側（送信者）から受信側（受信者）に送信情報を送信する方法として、印刷用紙に送信情報を印刷して送信側から受信側に配送する方法が用いられている。送信情報が印刷された印刷用紙は、通常、「文書」あるいは「書類」と呼ばれている。
【００４７】
送信情報が印刷された印刷用紙（文書）を送信側から受信側に配送する方法ことによって送信側から受信側に送信情報を送信する場合、印刷用紙の印刷領域に印刷する方法以外の方法を用いて情報を送信することが要望されることがある。例えば、受信側に送信したい送信情報の情報量が印刷用紙の印刷領域に印刷可能な情報量より多い場合や、印刷用紙に印刷するのが好ましくない情報（例えば、認証情報等）を送信する場合等には、印刷用紙の印刷領域に印刷する方法以外の送信方法が要望される。
また、送信情報が、親水性のインクを用いて印刷用紙に印刷される場合、印刷用紙に印刷されている送信情報が水等によって濡れると、送信情報が滲み、送信情報の判別が困難となる。
このような問題点は、前述した、送信情報配送媒体を用いることによって解決することができる。
【００４８】
以下に、本発明の第４の実施の形態を説明する。
図１２は、本実施の形態の送信情報配送媒体を用いて送信情報を送信側から受信側に送信する送信情報送信装置の概略構成図である。
図１２に示す送信情報送信装置は、送信側に設けられる送信側端末装置３１０、受信側に設けられる受信側端末装置３２０、送信情報が印刷される印刷用紙３３０、印刷用紙３３０に貼付されるシール体３４５、シール体３４５に一体成形されたＲＦＩＤタグ３４０により構成されている。
シール体３４５は、透明な樹脂により、ＲＦＩＤタグ３４０と一体成形されている。ＲＦＩＤタグ３４０は、第１の実施の形態で用いられているＲＦＩＤタグ４０と同様に、処理回路と記憶回路を内蔵するＩＣチップ３４１と、アンテナ３４２を形成する配線パターンにより構成されており、無線により情報の書き込み及び情報の読み取りが可能である。シール体３４５は、印刷用紙３３０の印刷領域３３３に印刷される送信情報の少なくとも一部を覆うように、印刷用紙３３０に貼付される。例えば、シール体３４５の一方側の面に、接着剤が塗布されている。さらに、シール体３４５は、送信情報を覆うように印刷用紙３３０に貼付されている状態で、当該シール体３４５により覆われている箇所に印刷されている送信情報を当該シール体３４５を介して判別可能な透明性を有している。
なお、ＲＦＩＤタグ３４０及びシール体３４５としては、ＲＦＩＤタグ３４０がシール体３４５に一体成形されている状態で、ＲＦＩＤタグ３４０への情報の書き込み及びＲＦＩＤタグ３４０からの情報の読み取りが可能となるＲＦＩＤタグ及びシール体が選択される。
送信側端末装置３１０は、処理装置３１１、入力装置３１２、記憶装置３１３、表示装置３１４、読取／書込装置３１５、印刷装置３１６等を有している。
処理装置３１１は、送信側端末装置３１０全体の動作を制御する。
入力装置３１２、記憶装置３１３、表示装置３１４、読取／書込装置３１５、印刷装置３１６としては、第１の実施の形態と同様のものを用いることができる。
受信側端末装置３２０は、処理装置３２１、入力装置３２２、記憶装置３２３、表示装置３２４、読取／書込装置３２５、印刷装置３２６等を有している。
処理装置３２１は、受信側端末装置３２０全体の動作を制御する。
入力装置３２２、記憶装置３２３は、表示装置３２４、読取／書込装置３２５、印刷装置３２６としては、第１の実施の形態と同様のものを用いることができる。
【００４９】
本実施の形態では、送信側装置３１０が本発明の「送信側装置」に対応し、受信側端末装置３２０が本発明の「受信側装置」に対応し、印刷用紙３３０が本発明の「印刷体」に対応し、ＲＦＩＤタグ３４０が本発明の「記憶媒体」に対応する。
また、印刷用紙３３０、ＲＦＩＤタグ３４０及びシール体３４５により本発明の「送信情報配送媒体」が構成されている。
【００５０】
次に、図１２に示す送信情報送信装置を用いて、送信側から受信側に送信情報を送信する動作を説明する。
送信側端末装置３１０の処理装置３１１は、入力装置３１２により入力情報が入力されると、読取／書込装置３１５に入力情報の書き込みを指示する。読取／書込装置３１５は、入力情報の書き込みが指示されると、アンテナ３１５ａを介して、印刷用紙３３０に貼付されるシール体３４５に一体成形されているＲＦＩＤタグ３４０と通信を行い、入力された入力情報をＲＦＩＤタグ３４０に書き込む。
また、処理装置３１１は、入力装置３１２により送信情報が入力されると、印刷装置３１６に送信情報の印刷を指示する。印刷装置３１６は、送信情報の印刷が指示されると、入力された送信情報を印刷用紙３３０の印刷領域３３１に印刷する。
そして、送信側では、入力情報が書き込まれたＲＦＩＤタグ３４０が一体成形されているシール体３４５を、送信情報が印刷されている印刷用紙３３０に貼付し、シール体３４５が貼付された状態で印刷用紙３３０を受信側に配送する。
この時、シール体３３０は、印刷用紙３３０の印刷領域３３１に印刷されている送信情報の少なくとも一部を覆うように、印刷用紙３３０に貼付される。勿論、シール体３３０は、印刷用紙３３０の印刷領域３３１に印刷されている送信情報の全てを覆うように、印刷用紙３３０に貼付してもよい。なお、シール体３４５の形状は、印刷用紙３３０に印刷されている送信情報の少なくとも一部を覆った状態で、印刷用紙３３０の外周縁からはみ出ることなく印刷用紙３３０に貼付可能な形状に形成されている。
これにより、シール体３４５により覆われている箇所に印刷されている送信情報の改竄が防止され、また、シール体３４５により覆われている箇所に印刷されている送信情報を水等から保護することができる。
受信側端末装置３２１の処理装置３２１は、読取／書込装置３２５が、受信側で受け取った印刷用紙３３０に貼付されているシール体３４５に一体成形されているＲＦＩＤタグ３４０と通信を行い、ＲＦＩＤタグ３４０に書き込まれている情報を読み取ると、読み取った情報を受信側出力手段に出力する。受信側出力手段としては、表示装置３２４や印刷装置３２６等が用いられる。例えば、読み取った情報を表示装置３２４に表示しあるいは印刷装置３２６から印刷する。
【００５１】
ここで、ＲＦＩＤタグ３４０に書き込まれる入力情報としては、種々の情報を用いることができる。
例えば、印刷用紙３３０に印刷される送信情報に関連する関連情報を用いることができる。例えば、商品の案内情報を送信情報として送信する場合、その商品に関する詳細な情報が掲載されているＷｅｂサイトのアドレス情報やその商品を販売している販売会社あるいは製造している製造メーカの詳細情報が掲載されているＷｅｂサイトのアドレス情報等を用いることができる。また、送信情報として、イベントの案内情報が用いられる場合、イベント内容やイベント会場の詳細情報等が掲載されているＷｅｂサイトのアドレス情報を用いることができる。この場合、受信側では、読取／書込装置３２５により、受信側で受け取った印刷用紙３３０に貼付されているシール体３４５に一体成形されているＲＦＩＤタグ３４０から読み取ったアドレス情報が表示装置３２４や印刷装置３２６から出力される。そして、受信側では（受信者）、表示装置３２４や印刷装置３２６から出力されるアドレス情報に基づいて、Ｗｅｂサイトにアクセスすることによって、印刷用紙３３０に印刷されている送信情報に対する詳細な情報を得ることができる。
このように、送信情報に関連する関連情報をＲＦＩＤタグ３４０に書き込むことにより、印刷用紙３３０の印刷領域３３１が小さくて、印刷領域３３１に印刷可能な情報量が制限されている場合でも、十分な情報を受信側に送信することができる。
あるいは、印刷用紙３３０に印刷される送信情報の少なくとも一部を用いることができる。この場合には、受信側では、表示装置３２４や印刷装置３２６から出力される情報と印刷用紙３３０に印刷されている送信情報の少なくとも一部を比較することによって、印刷用紙３３０に印刷されている送信情報の認証を行うことができる。また、ＲＦＩＤタグ３４０に書き込む入力情報及び印刷用紙３３０に印刷する送信情報の入力操作が容易となる。
【００５２】
ところで、入力情報（送信情報の少なくとも一部を含む）を書き込んだＲＦＩＤタグが一体成形されているシール体を、送信情報が印刷されている印刷用紙に貼付する際、異なる送信情報配送媒体に対する入力情報が書き込まれているＲＦＩＤタグが一体成形されているシール体や異なる送信情報配送媒体に対する送信情報が印刷されている印刷用紙が混在していると、ＲＦＩＤタグが一体成形されているシール体を、当該シール体を貼付する印刷用紙に正しく貼付することが困難であり、貼り付け間違いが発生する虞がある。特に、シール体と印刷用紙が同じ形状である場合には、貼り付け間違いが発生する虞が高くなる。
そこで、ＲＦＩＤタグが一体形成されているシール体を、当該シール体に対応する印刷用紙に確実に貼付することができる第５の実施の形態を以下に説明する。
本実施の形態の概略構成図を図１３に示す。なお、図１３では、受信側端末装置を省略している。
送信側端末装置４１０は、処理装置４１１、入力装置４１２、記憶装置４１３、表示装置４１４、読取／書込装置４１５、印刷装置４１６等を有している。
処理装置４１１は、送信側端末装置４１０全体の動作を制御する。ＲＦＩＤタグ４４０に暗号化情報を書き込む場合には、処理装置４１１は、例えば、図１に示した処理装置１１、図６に示した処理装置１１１、図８に示した処理装置２１１と同様のものが用いられる。
入力装置４１２、記憶装置４１３、表示装置４１４、読取／書込装置４１５、印刷装置４１６としては、第１の実施の形態と同様のものを用いることができる。
また、前述した実施の形態と同様に、送信情報が印刷される印刷用紙４３０、印刷用紙４３０に貼付されるシール体４４５、シール体４４５に一体成形されているＲＦＩＤタグ４４０により構成される送信情報配送媒体が用いられている。シール体４４５やＲＦＩＤタグ４４０の構造、シール体４４５の印刷用紙４３０への取付態様としては、前述した構造や取付態様を用いることができる。
なお、シール体４４５には、各シール体４４５を識別するためのシール体識別情報４４５ａが印刷されている。本実施の形態では、シール識別情報４４５ａとして、各シール体のシールＩＤが用いられている。
【００５３】
次に、本実施の形態の動作を説明する。なお、本実施の形態では、受信側端末装置の動作は前述した実施の形態の受信側端末装置と同様であるため、送信側端末装置の動作のみを説明する。
送信側端末装置４１０の処理装置４１１は、入力装置４１２により入力情報が入力されると、読取／書込装置４１５に入力情報の書き込みを指示する。入力情報としては、前述したように、印刷用紙４３０に印刷される送信情報に関連した関連情報、送信情報の少なくとも一部、送信除法と関係がない情報等を用いることができる。
読取／書込装置４１５は、入力情報の書き込みが指示されると、アンテナ４１５ａを介して、印刷用紙４３０に貼付されるシール体３４５に一体成形されているＲＦＩＤタグ３４０と通信を行い、入力された入力情報をＲＦＩＤタグ４４０に書き込む。
また、処理装置４１１は、ＲＦＩＤタグ４４０が一体成形されているシール体４４５のシール識別情報（本実施の形態では、シールＩＤ）を読み取る。シール体４４５のシールＩＤを読み込む方法としては、種々の方法を用いることができる。例えば、シール体４４５に一体成形されているＲＦＩＤタグ４４０にシール体４４５のシールＩＤを書き込んでおき、ＲＦＩＤタグ４４０に書き込まれているシール体４４５のシールＩＤを読取／書込装置４１５により読み取る方法を用いることができる。あるいは、シール体４４５に印刷されているシールＩＤ４４５ａを、光学式文字読取装置（ＯＣＲ）４１７（送信側情報変換手段）により、処理装置４１１が処理可能な形式の情報に変換し、変換された情報からシールＩＤ４４５ａを判別する方法を用いることができる。
そして、処理装置４１１は、入力装置４１２により送信情報が入力されると、印刷装置４１６に、印刷を指示する。印刷装置４１６は、印刷が指示されると、入力装置４１２により入力された送信情報と、前記読み取った、印刷用紙４３０に貼付されるシール体４４５のシールＩＤを印刷用紙４３０の印刷領域４３１に印刷する。これにより、印刷用紙４３０の印刷領域４３１には、送信情報とシールＩＤ４３１ａが印刷される。なお、送信情報とシールＩＤ４３１ａは、異なる印刷領域に印刷してもよい。
ここで、シールＩＤ４４５ａをシール体４４５に印刷する印刷位置と、シールＩＤ４３１ａを印刷用紙４３０に印刷する印刷位置は、シール体４４５を、印刷用紙４３０の印刷領域４３１に印刷されている送信情報の少なくとも一部を覆うように印刷用紙４３０に貼付した時に、近傍に配置されるように設定するのが好ましい。印刷位置をこのように設定することにより、シール体４４５を印刷用紙４３０に貼付する作業が一層容易となる。
そして、送信側では、入力情報が書き込まれたＲＦＩＤタグ４４０が一体成形されているシール体４４５を、送信情報が印刷されている印刷用紙４３０に貼付して送信情報配送媒体を構成し、送信情報配送媒体（シール体４４５が貼付された印刷用紙４３０）を受信側に配送する。
【００５４】
ここで、本実施の形態では、シール体４４５に印刷されているシールＩＤ４４５ａを読み取り、読み取ったシールＩＤ４４５ａを、シール体４４５が貼付される印刷用紙４３０に、シールＩＤ４３１ａとして印刷している。
このため、シール体４４５を印刷用紙４３０に貼付して送信情報配送媒体を構成する際、シール体４４５に印刷されているシールＩＤ４４５ａと一致するシールＩＤ４３１ａが印刷されている印刷用紙４３０を選択し、選択した印刷用紙４３０にシール体４４５を貼付することにより、あるいは、その逆に、選択したシール体４４５を印刷用紙４３０に貼付することにより、シール体４４５を間違った印刷用紙４３０に貼付することを防止することができる。すなわち、シール体の貼り間違いを防止することができる。
なお、シール体４４５に印刷するシール体識別情報としては、各シール体４４５を個別に識別するシール体識別情報に限定されない。例えば、同じ送信情報が印刷される印刷用紙４３０に貼付されるシール体４４５を識別するシール識別情報、すなわち、同じ送信情報に対する送信情報配送媒体毎のシール識別情報を用いることができる。この場合には、送信情報が印刷される印刷用紙４３０に貼付されるシール体４４５のシール識別情報が分かっていれば、入力装置により、送信情報とともにシール体識別情報を入力することができるため、シール体識別情報の読み取り処理を省略することができる。
【００５５】
本発明は、実施の形態で説明した構成に限定されず、種々の変更、追加、削除が可能である。
例えば、送信側端末装置、受信側端末装置、公開鍵認証装置、時刻認証装置の動作は、フローチャート図に示した動作に限定されない。例えば、処理の順番や処理の内容等は、本発明の要旨を逸脱しない範囲内で適宜変更可能である。
また、記憶媒体としてＲＦＩＤタグを用いたが、これ以外の種々の記憶媒体を用いることができる。この場合、読取／書込装置としては、記憶媒体に対応する読取／書込装置が選択される。
また、記憶媒体を印刷体に取り付ける取付態様として、記憶媒体を一体成形したシール体を印刷体に貼付する取付態様を用いたが、記憶媒体を印刷体に取り付ける取付態様としてはこれ以外の種々の取付態様を用いることができる。
また、シール体を、印刷体に印刷されている送信情報の少なくとも一部を覆うように印刷体に貼付したが、送信情報を覆わないように印刷体に貼付してもよい。
また、関数及び関数値としてハッシュ関数及びハッシュ値を用いたが、これ以外の関数及び関数値を用いることができる。
また、各実施の形態で用いられている個々の技術は、単独で用いることもできるし、適宜組み合わせて用いることもできる。
また、印刷体に印刷される送信情報としては、送信者から受信者に送信される種々の情報を用いることができる。
【００５６】
本発明は、以下のように構成することもできる。
例えば、「（態様１）送信側から受信側に配送される印刷体に印刷されている送信情報が真正であるか否かを受信側で認証する認証方法であって、
送信側では、送信側印刷手段により送信情報を印刷した印刷体を、入力情報を送信側暗号化手段により暗号化鍵を用いて暗号化した暗号化情報を送信側書込手段により書き込んだ記憶媒体を取り付けた状態で受信側に配送し、
受信側では、受け取った印刷体に取り付けられている記憶媒体に書き込まれている暗号化情報を受信側読取手段により読み取り、前記読み取った暗号化情報を受信側復号化手段により、前記送信側暗号化手段で用いている暗号化鍵に対応する復号化鍵を用いて復号化可能である場合に、当該印刷体に印刷されている送信情報が真正であることを認証する、
ことを特徴とする認証方法。」として構成することができる。
また、「（態様２）態様１の認証方法であって、
前記送信側では、前記送信側印刷手段により前記印刷体に印刷する送信情報の少なくとも一部を前記送信側暗号化手段により暗号化する、
ことを特徴とする認証方法。」として構成することができる。
また、「（態様３）態様２の認証方法であって、
前記受信側では、前記読み取った暗号化情報を前記受信側復号化手段により復号化が可能である場合には、前記受信側復号化手段により復号化した復号化情報を受信側出力手段から出力する、
ことを特徴とする認証方法。」として構成することができる。
また、「（態様４）態様１の認証方法であって、
前記送信側では、送信側関数値生成手段により前記入力情報から関数を用いて関数値を生成し、前記生成した関数値を前記送信側暗号化手段により暗号化して暗号化情報を生成する、
ことを特徴とする認証方法。」として構成することができる。
また、「（態様５）態様４の認証方法であって、
前記送信側では、前記送信側印刷手段により前記印刷体に印刷する送信情報の少なくとも一部から前記送信側関数値生成手段により関数値を生成する、
ことを特徴とする認証方法。」として構成することができる。
また、「（態様６）態様５の認証方法であって、
前記受信側では、前記読み取った暗号化情報を前記受信側復号化手段により復号化が可能である場合には、前記印刷体に印刷されている、前記送信側暗号化手段により暗号化した送信情報の少なくとも一部を情報変換手段により電子情報に変換し、変換した電子情報から受信側関数値生成手段により、前記送信側関数値生成手段で用いている関数と同じ関数を用いて関数値を生成し、前記生成した関数値が前記受信側復号化手段で復号化した復号化情報に含まれている関数値と一致するか否かを判別し、一致する場合に前記印刷体に印刷されている送信情報が真正であることを認証する、
ことを特徴とする認証方法。」として構成することができる。
また、「（態様７）送信側から受信側に配送される印刷体に印刷されている送信情報が真正であるか否かを受信側で認証する認証方法であって、
送信側では、時刻認証装置に時刻認証情報送信要求情報を送信して時刻認証装置から時刻認証情報を受信し、受信した時刻認証情報を送信側書込手段により記憶媒体に書き込み、送信側印刷手段により送信情報を印刷した印刷体を、前記時刻認証情報を書き込んだ記憶媒体を取り付けた状態で受信側に配送し、
時刻認証装置では、送信側から送信された時刻認証情報送信要求情報を受信すると、時刻情報出力手段から出力される時刻情報を暗号化鍵を用いて時刻認証側暗号化手段により暗号化し、前記時刻認証側暗号化手段により暗号化された暗号化情報を含む時刻認証情報を、前記時刻認証情報送信要求情報を送信した送信側に送信し、また、受信側から送信された復号化鍵送信要求情報を受信すると、前記時刻認証側暗号化手段で用いている暗号化鍵に対応する復号化鍵を、前記復号化鍵送信要求情報を送信した受信側に送信し、
受信側では、印刷体に取り付けられている記憶媒体に書き込まれている時刻認証情報を受信側読取手段により読み取り、前記読み取った時刻認証情報に含まれている暗号化情報を前記時刻認証装置から受信した復号化鍵を用いて復号化可能であるか否かを判別し、復号化が可能である場合に当該印刷体に印刷されている送信情報が真正であることを認証する、
ことを特徴とする認証方法。」として構成することができる。
また、「（態様８）態様７の認証方法であって、
前記時刻認証装置では、前記時刻認証側暗号化手段により暗号化された暗号化情報と、当該暗号化情報を暗号化する際に用いた時刻情報を含む時刻認証情報を前記送信側に送信し、
前記受信側では、前記受信側読取手段により読み取った時刻認証情報に含まれている暗号化情報を前記受信側復号化手段により復号化可能である場合には、前記受信側復号化手段により復号化された復号化情報に含まれている時刻情報と前記受信側読取手段により読み取った時刻認証情報に含まれている時刻情報が一致しているか否かを判別し、両時刻情報が一致している場合に前記印刷体に印刷されている送信情報が真正であることを認証する、
ことを特徴とする認証方法。」として構成することができる。
また、「（態様９）態様1〜８のいずれかの認証方法であって、前記送信側では、前記記憶媒体と一体成形されたシール体を、前記印刷媒体に印刷されている送信情報の少なくとも一部が覆われるように、前記印刷体に貼付した状態で受信側に配送する、
ことを特徴とする認証方法。」として構成することができる。
態様１〜態様９の認証方法は、請求項１〜請求項９に記載の認証装置と同様の効果を有している。
また、「（態様１０）請求項７の認証装置であって、
前記送信側装置は、送信側関数値生成手段を有し、
前記送信側関数値生成手段は、前記送信側入力手段により入力された送信情報の少なくとも一部から関数を用いて第１の間数値を生成し、
前記送信側情報処理手段は、前記送信側関数値生成手段で生成された第１の関数値を含む時刻認証情報送信要求情報を前記時刻認証装置に送信し、
前記時刻認証装置は、時刻認証側関数値生成手段を有し、
前記時刻認証側関数値生成手段は、前記時刻認証側情報処理手段で受信した時刻認証情報送信要求情報に含まれている第１の関数値と前記時刻情報出力手段から出力される時刻情報から、前記送信側関数値生成手段で用いている関数と同じ関数を用いて第２の関数値を生成し、
前記時刻認証側暗号化手段は、前記時刻認証側関数値生成手段により生成された第２の関数値を前記暗号化鍵を用いて暗号化して暗号化情報を生成し、
前記時刻認証側情報処理手段は、前記第１の関数値、前記暗号化情報、前記第２の関数値を生成する際に用いた時刻情報を含む時刻認証情報を前記送信側装置に送信し、
前記受信側装置は、受信側関数値生成手段を有し、
前記受信側関数値生成手段は、前記受信側読取手段により読み取った時刻認証情報に含まれている第１の関数値と時刻情報から、前記時刻認証側関数値生成手段で用いている関数と同じ関数を用いて第３の関数値を生成し、
前記受信側認証手段は、前記読み取った時刻認証情報に含まれている暗号化情報を前記受信側復号化手段により復号化可能である場合には、前記受信側復号化手段により復号化された復号化情報に含まれている関数値と前記受信側関数値生成手段で生成された第３の関数値が一致しているか否かを判別し、両関数値が一致する場合に前記印刷体に印刷されている送信情報が真正であることを認証する、
ことを特徴とする認証装置。」として構成することができる。
態様１０の認証装置を用いれば、印刷用紙に印刷されている送信情報が真正であることをより確実に認証することができる。
また、「（態様１１）請求項１０の送信情報配送媒体であって、
前記シール体及び当該シール体が貼付される印刷体には、同じシール体識別情報が印刷されている、
ことを特徴とする送信情報配送媒体。」として構成することができる。
シール体識別情報としては、各シール体を個別に識別する識別情報を用いることもできるし、送信情報毎のシール体識別情報を用いることもできる。
態様１１の送信情報配送媒体を用いれば、シール体が間違った印刷体に貼付されることを防止することができる。
【図面の簡単な説明】
【００５７】
【図１】第１の実施の形態の概略構成図である。
【図２】公開鍵記憶装置の１例を示す図である。
【図３】第１の実施の形態の送信側端末装置の動作を説明するフローチャート図である。
【図４】第１の実施の形態の受信側端末装置の動作を説明するフローチャート図である。
【図５】第１の実施の形態の公開鍵認証装置の動作を説明するフローチャート図である。
【図６】第２の実施の形態の概略構成図である。
【図７】第２の実施の形態の送信側端末装置の動作を説明するフローチャート図である。
【図８】第３の実施の形態の概略構成図である。
【図９】第３の実施の形態の送信側端末装置の動作を説明するフローチャート図である。
【図１０】第３の実施の形態の受信側端末装置の動作を説明するフローチャート図である。
【図１１】第３の実施の形態の時刻認証装置の動作を説明するフローチャート図である。
【図１２】第４の実施の形態の概略構成図である。
【図１３】第５の実施の形態の概略構成図である。
【符号の説明】
【００５８】
１０、１１０、２１０、３１０、４１０  送信側端末装置
１１、２１、１１１、１２１、２１１、２２１、２５１、３１１、３２１、４１１  処理装置
１１ａ、２１ａ、１１１ａ、１２１ａ、２１１ａ、２２１ａ、２５１ａ  情報処理手段
１１ｂ、１１１ｃ、２５１ｂ  暗号化手段
１２、２２、１１２、１２２、２１２、２２２、３１２．３２２．４１２  入力装置
１５、２５、１１５、１２５、２１５、２２５、３１５、３２５、４１５  読取／書込装置
１６、２６、１１６、１２６、２１６、２２６、３１６、３２６、４１６  印刷装置
２０、１２０、２２０、３２０  受信側端末装置
２１ｂ、１２１ｂ、２２１ｃ  復号化手段
３０、１３０、２３０、３３０、４３０  印刷用紙（送信情報搬送媒体）
３１、１３１、２３１、３３１、４３１  送信情報印刷領域
４０、１４０、２４０、３４０、４４０  ＲＦＩＤタグ
４５、１４５、２４５、３４５、４４５  シール体
５０、１５０  公開鍵認証装置
５１、１５１  公開鍵処理装置
５２、１５２  公開鍵記憶装置
６０、１６０  鍵生成装置
７０、１７０、２７０  通信回線
１１１ｂ、２１１ｂ、２２１ｂ、２５１ｃ  ハッシュ値生成手段
２５０  時刻認証装置
２５２  鍵記憶装置
２５３  時刻情報出力装置
【図１】
2006295720.tif 000003
【図２】
2006295720.tif 000004
【図３】
2006295720.tif 000005
【図４】
2006295720.tif 000006
【図５】
2006295720.tif 000007
【図６】
2006295720.tif 000008
【図７】
2006295720.tif 000009
【図８】
2006295720.tif 000010
【図９】
2006295720.tif 000011
【図１０】
2006295720.tif 000012
【図１１】
2006295720.tif 000013
【図１２】
2006295720.tif 000014
【図１３】
2006295720.tif 000015